(57)【要約】【課題】  無停波で増幅ユニットを交換することができると共に、作業者が設定を行う必要のない増幅装置を提供する。【解決手段】  制御ユニット５１の切換スイッチ５１ｂを運用側から復旧側へ切り換えることにより、交換対象の増幅ユニットに替えて復旧ユニット５６にパラメータが設定されて正常な動作状態になる。同時に、ＳＷ１−１〜ＳＷ１−４およびＳＷ２−１〜ＳＷ２−４が制御ユニット５１により制御されて、交換対象の増幅ユニットの入力および出力が切り離される。そして、交換対象の増幅ユニットを交換して制御ユニット５１の切換スイッチ５１ｂを復旧側から運用側へ戻すことにより、復旧ユニット５６に替えて交換された交換対象の増幅ユニットにパラメータが設定されて正常な動作状態になる。同時に、ＳＷ１−１〜ＳＷ１−４およびＳＷ２−１〜ＳＷ２−４が制御ユニット５１により制御されて、復旧ユニット５６の入力および出力が切り離される。【選択図】  図５
2020025266.tif 000002
【特許請求の範囲】
【請求項１】
所定の周波数帯域の信号を増幅する複数の増幅ユニットと、
前記増幅ユニットと前記復旧ユニットとの制御を行うことができる制御ユニットと、
前記増幅ユニットおよび前記制御ユニットに電源を供給可能な電源ユニットと、
を備え、
交換対象とされる交換対象増幅ユニットを交換する際に、前記交換対象増幅ユニットと同等の機能を少なくとも備える復旧ユニットを取り付けて、前記制御ユニットは、前記交換対象増幅ユニットに設定されていたパラメータを前記復旧ユニットに設定して、前記交換対象増幅ユニットに替えて前記復旧ユニットを動作させることにより前記交換対象増幅ユニットを交換可能とし、前記交換対象増幅ユニットが交換された際に、前記制御ユニットは、交換された交換対象増幅ユニットに前記復旧ユニットに設定されていたパラメータを設定して、交換された交換対象増幅ユニットを動作させることにより、前記復旧ユニットを取り外し可能としたことを特徴とする増幅装置。
【請求項２】
棟内共聴装置の伝送線路に設けられた共聴信号を増幅する増幅装置であって、
前記共聴信号を構成する複数の周波数帯域の信号を、周波数帯域別にそれぞれ増幅する複数の増幅ユニットと、
前記複数の増幅ユニットと前記復旧ユニットとの制御を行うことができる制御ユニットと、
前記複数の増幅ユニットおよび前記制御ユニットに電源を供給可能な電源ユニットと、
を備え、
交換対象とされる交換対象増幅ユニットを交換する際に、前記交換対象増幅ユニットと同等の機能を少なくとも備える復旧ユニットを取り付けると、前記電源ユニットから前記復旧ユニットに電源が供給され、前記制御ユニットは、前記交換対象増幅ユニットに設定されていたパラメータを前記復旧ユニットに設定して、前記交換対象増幅ユニットに替えて前記復旧ユニットを動作させることにより前記交換対象増幅ユニットを交換可能とし、前記交換対象増幅ユニットが交換された際に、前記制御ユニットは、交換された交換対象増幅ユニットに前記復旧ユニットに設定されていたパラメータを設定して、交換された交換対象増幅ユニットを動作させることにより、前記復旧ユニットを取り外し可能としたことを特徴とする増幅装置。
【請求項３】
放送信号を含む信号を、共聴信号として用いる棟内共聴装置における伝送線路に設けられた増幅装置であって、
一面が開口面とされた箱状のケース本体部と、前記開口面を閉塞できると共に前記ケース本体部に開閉自在に取り付けられた蓋部とからなるケースと、
該ケース内に収納されたメインボードと、
前記共聴信号を構成する複数の周波数帯域の信号を、周波数帯域別にそれぞれ増幅する前記メインボードに着脱自在に装着された複数の増幅ユニットと、
前記複数の増幅ユニットと接続されて、前記複数の増幅ユニットにおける設定されたパラメータを前記複数の増幅ユニットから取り込むと共に、前記複数の増幅ユニットにおける各増幅ユニットにパラメータを設定することができる制御ユニットと、
前記複数の増幅ユニットおよび前記制御ユニットに電源を供給可能な電源ユニットと、
を備え、
交換対象とされる交換対象増幅ユニットを交換する際に、前記交換対象増幅ユニットと同等の機能を有する復旧ユニットを前記ケース本体部から開いた前記蓋部の内側に着脱自在に取り付けると、前記電源ユニットから前記復旧ユニットに電源が供給され、前記交換対象増幅ユニットに設定されていたパラメータを前記制御ユニットにより前記復旧ユニットに設定して、前記交換対象増幅ユニットに替えて前記復旧ユニットを動作させることにより、前記交換対象増幅ユニットを前記メインボードから取り外すと共に新しい交換対象増幅ユニットをメインボードに装着して交換できるようにし、前記交換対象増幅ユニットが交換された際に、前記制御ユニットは、前記復旧ユニットに設定されていたパラメータを交換された交換対象増幅ユニットに設定して、前記復旧ユニットに替えて前記交換された交換対象増幅ユニットを動作させることで、前記復旧ユニットを前記蓋部から取り外せるようにしたことを特徴とする増幅装置。
【請求項４】
前記メインボードに設けられた第１復旧ユニット接続端子と前記復旧ユニットに設けられた第２復旧ユニット接続端子との間を接続することにより、前記復旧ユニットが前記制御ユニットに接続されることを特徴とする請求項３に記載の増幅装置。
【請求項５】
前記制御ユニットに設けられている運用・復旧切換スイッチが復旧側に切り換えられることにより、前記交換対象増幅ユニットに設定されていたパラメータが前記制御ユニットにより前記復旧ユニットに設定され、さらに、前記交換対象増幅ユニットが切り離されると共に、前記復旧ユニットが動作状態とされて前記交換対象増幅ユニットが交換可能とされ、前記運用・復旧切換スイッチが運用側に切り換えられることにより、前記復旧ユニットに設定されていたパラメータが前記制御ユニットにより前記交換された交換対象増幅ユニットに設定され、さらに、前記復旧ユニットが切り離されると共に、前記交換された交換対象増幅ユニットが動作状態とされて前記復旧ユニットを取り外せるようにしたことを特徴とする請求項３または４に記載の増幅装置。
【請求項６】
前記複数の増幅ユニットにおける各増幅ユニットの入力と出力とを切り換える電子制御可能な切換手段が、前記メインボードに設けられていることを特徴とする請求項３ないし５のいずれかに記載の増幅装置。
【請求項７】
前記運用・復旧切換スイッチが復旧側に切り換えられた際に、前記交換対象増幅ユニットが特定されて、前記制御ユニットにより前記交換対象増幅ユニットにおける前記切換手段が制御されて前記交換対象増幅ユニットの入力と出力とが前記復旧ユニットの入力と出力となるよう切り換えられることにより前記交換対象増幅ユニットが切り離され、前記運用・復旧切換スイッチが運用側に切り換えられた際に、前記交換された交換対象増幅ユニットが特定されて、前記制御ユニットにより前記交換対象増幅ユニットにおける前記切換手段が制御されて前記復旧ユニットの入力と出力とが前記交換された交換対象増幅ユニットの入力と出力となるよう切り換えられることにより前記復旧ユニットが切り離されることを特徴とする請求項５または６に記載の増幅装置。
【請求項８】
放送信号を含む信号を、共聴信号として用いる棟内共聴装置における伝送線路に設けられた増幅装置であって、
一面が開口面とされた箱状のケース本体部と、前記開口面を閉塞できると共に前記ケース本体部に開閉自在に取り付けられた蓋部とからなるケースと、
該ケース内に収納されたメインボードと、
前記共聴信号を構成する複数の周波数帯域の信号を、周波数帯域別にそれぞれ増幅する前記メインボードに着脱自在に装着された複数の増幅ユニットと、
前記複数の増幅ユニットと接続されて、前記複数の増幅ユニットにおける設定されたパラメータを前記複数の増幅ユニットから取り込むと共に、前記複数の増幅ユニットにおける各増幅ユニットにパラメータを設定することができる前記メインボードに着脱自在に装着された制御ユニットと、
前記複数の増幅ユニットおよび前記制御ユニットに電源を供給する前記メインボードに着脱自在に装着された電源ユニットとを備え、
前記複数の増幅ユニットのいずれかに異常が生じた際に、異常が生じた交換対象増幅ユニットを前記メインボードから取り外すと共に新しい交換対象増幅ユニットをメインボードに装着して交換することにより、交換された交換対象増幅ユニットが特定されて、前記制御ユニットに保存されていた前記交換対象増幅ユニットに設定されていたパラメータが前記制御ユニットから読み出されて、前記交換された交換対象増幅ユニットに設定されることを特徴とする増幅装置。
【請求項９】
複数の周波数帯域の信号を，周波数帯域別にそれぞれ増幅する複数の増幅ユニットと、
前記複数の増幅ユニットの制御を行うことができる制御ユニットと、
前記複数の増幅ユニットおよび前記制御ユニットに電源を供給可能な電源ユニットと、
を備え、
交換対象とされる少なくとも１台の交換対象増幅ユニットを交換する際に、前記複数の増幅ユニットと同等の機能を備える複数の復旧増幅ユニットを少なくとも備える復旧ユニットを取り付けて、前記制御ユニットは、前記複数の増幅ユニットに設定されていたパラメータを、前記複数の復旧増幅ユニットにそれぞれ設定すると共に、該パラメータを保存して、前記交換対象増幅ユニットを含む前記複数の増幅ユニットに替えて前記複数の復旧増幅ユニットを動作させることで、前記交換対象増幅ユニットを交換可能とし、前記交換対象増幅ユニットが交換された際に、前記制御ユニットは、前記保存されたパラメータを交換された交換対象増幅ユニットを含む前記複数の増幅ユニットにそれぞれ設定して、前記複数の復旧増幅ユニットに替えて前記交換された交換対象増幅ユニットを含む前記複数の増幅ユニットを動作させることで、前記復旧ユニットを取り外し可能としたことを特徴とする増幅装置。
【請求項１０】
棟内共聴装置の伝送線路に設けられた共聴信号を増幅する増幅装置であって、
前記共聴信号を構成する複数の周波数帯域の信号を、周波数帯域別にそれぞれ増幅する複数の増幅ユニットと、
前記複数の増幅ユニットの制御を行うことができる制御ユニットと、
前記複数の増幅ユニットおよび前記制御ユニットに電源を供給可能な電源ユニットと、
を備え、
交換対象とされる少なくとも１台の交換対象増幅ユニットを交換する際に、前記複数の増幅ユニットと同等の機能を備える複数の復旧増幅ユニットを少なくとも備える復旧ユニットを取り付けて、前記制御ユニットは、前記複数の増幅ユニットに設定されていたパラメータを、前記複数の復旧増幅ユニットにそれぞれ設定すると共に、該パラメータを保存して、前記交換対象増幅ユニットを含む前記複数の増幅ユニットに替えて前記複数の復旧増幅ユニットを動作させることで、前記交換対象増幅ユニットを交換可能とし、前記交換対象増幅ユニットが交換された際に、前記制御ユニットは、前記保存されたパラメータを交換された交換対象増幅ユニットを含む前記複数の増幅ユニットにそれぞれ設定して、前記複数の復旧増幅ユニットに替えて前記交換された交換対象増幅ユニットを含む前記複数の増幅ユニットを動作させることで、前記復旧ユニットを取り外し可能としたことを特徴とする増幅装置。
【請求項１１】
放送信号を含む信号を、共聴信号として用いる棟内共聴装置における伝送線路に設けられた増幅装置であって、
一面が開口面とされた箱状のケース本体部と、前記開口面を閉塞できると共に前記ケース本体部に開閉自在に取り付けられた蓋部とからなるケースと、
該ケース内に収納されたメインボードと、
前記共聴信号を構成する複数の周波数帯域の信号を、周波数帯域別にそれぞれ増幅する前記メインボードに着脱自在に装着された複数の増幅ユニットと、
前記複数の増幅ユニットと接続されて、前記複数の増幅ユニットにおける設定されたパラメータを前記複数の増幅ユニットから取り込むと共に、前記複数の増幅ユニットにおける各増幅ユニットにパラメータを設定することができる制御ユニットと、
前記複数の増幅ユニットおよび前記制御ユニットに電源を供給可能な電源ユニットと、
を備え、
交換対象とされる少なくとも１台の交換対象増幅ユニットを交換する際に、前記複数の増幅ユニットと同等の機能を備える複数の復旧増幅ユニットを少なくとも備える前記復旧ユニットを前記ケース本体部から開いた前記蓋部の内側に着脱自在に取り付けて、前記制御ユニットは、前記複数の増幅ユニットに設定されていたパラメータを保存すると共に、該パラメータを前記複数の復旧増幅ユニットに設定して、交換対象とされる少なくとも１台の交換対象増幅ユニットを含む前記複数の増幅ユニットに替えて前記複数の復旧増幅ユニットを動作させることにより、前記交換対象増幅ユニットを前記メインボードから取り外すと共に新しい交換対象増幅ユニットをメインボードに装着して交換できるようにし、前記交換対象増幅ユニットが交換された際に、前記制御ユニットは、前記保存されたパラメータを交換された交換対象増幅ユニットを含む前記複数の増幅ユニットにそれぞれ設定して、前記復旧ユニットに替えて前記交換された交換対象増幅ユニットを含む前記複数の増幅ユニットを動作させることで、前記復旧ユニットを前記蓋部から取り外せるようにしたことを特徴とする増幅装置。
【請求項１２】
前記復旧ユニットは、さらに、復旧制御ユニットを備えており、
前記交換対象増幅ユニットを交換する際に、前記制御ユニットは、前記保存されたパラメータを前記復旧制御ユニットに書き込み、該復旧制御ユニットは、書き込まれたパラメータを前記複数の復旧増幅ユニットにそれぞれ設定し、交換対象増幅ユニットが交換された際に、前記制御ユニットは、前記保存されたパラメータを交換された交換対象増幅ユニットを含む前記複数の増幅ユニットにそれぞれ設定することを特徴とする請求項９ないし１１のいずれかに記載の増幅装置。
【請求項１３】
前記メインボードに設けられた第１復旧ユニット接続端子と前記復旧ユニットに設けられた第２復旧ユニット接続端子との間を接続することにより、前記復旧ユニットが前記制御ユニットに接続されることを特徴とする請求項１１に記載の増幅装置。
【請求項１４】
前記制御ユニットに設けられている運用・復旧切換スイッチが復旧側に切り換えられることにより、前記保存されたパラメータが前記複数の復旧増幅ユニットに設定され、さらに、前記交換対象増幅ユニットを含む前記複数の増幅ユニットが切り離されると共に、前記複数の復旧増幅ユニットが動作状態とされて前記交換対象増幅ユニットが交換可能とされ、前記運用・復旧切換スイッチが運用側に切り換えられることにより、前記保存されたパラメータが前記交換された交換対象増幅ユニットを含む前記複数の増幅ユニットに設定され、さらに、前記復旧ユニットが切り離されると共に、前記交換された交換対象増幅ユニットを含む前記複数の増幅ユニットが動作状態とされて前記復旧ユニットを取り外せるようにしたことを特徴とする請求項１１または１３に記載の増幅装置。
【請求項１５】
前記複数の増幅ユニットにおける各増幅ユニットの入力と出力と、前記複数の復旧増幅ユニットの入力と出力とを、前記運用・復旧切換スイッチの操作に連動して切り換える電子制御可能な切換手段が、前記メインボードに設けられていることを特徴とする請求項１１，１３，１４のいずれかに記載の増幅装置。
【発明の詳細な説明】
【技術分野】
【０００１】
本発明は、アンテナで受信した放送信号やＣＡＴＶ局からの伝送信号などを棟内において分岐・分配する棟内共聴装置の増幅装置に適用して好適な増幅装置に関する。
【背景技術】
【０００２】
この明細書で云う「棟内共聴装置」とは、ビルや集合住宅，共同住宅などの建物に設置する共聴装置、および、戸建の建物に設置する共聴装置などの棟内に設置する共聴装置を云うものとする。
棟内共聴装置にＣＡＴＶ（ケーブルテレビジョン）を導入する場合の一例の構成を図１７に示す。
図１７に示す棟内共聴装置２１００は、棟内に設置され、ＣＡＴＶ信号伝送ライン中に挿入されている双方向分岐増幅装置２１０１により分岐された下り方向のＣＡＴＶ信号が、タップオフ（TAP OFF ）２１０２および保安器ＳＢを介して棟内に引き込まれ、双方向増幅装置２１０５の第１入力端子に入力されると共に、ＢＳ／ＣＳアンテナ２１０３よりのＢＳ−ＩＦあるいはＣＳ−ＩＦ信号が、双方向増幅装置２１０５の第２入力端子に入力される。これらの第１入力端子および第２入力端子に入力された３種類の信号は、それぞれ双方向増幅装置２１０５により増幅されて出力端子から混合されて出力される。
【０００３】
双方向増幅装置２１０５の出力は分岐器２１０６に供給され、分岐器２１０６において分岐された１つの信号は、分配器２１０７により複数に分配される。この分配された信号は双方向増幅装置２１０８により増幅されて、さらに分配器２１０９により複数に分配される。分配器２１０９により分配された１つの分配出力は、複数個縦続に接続された直列ユニット２１１０〜２１１５に供給される。この直列ユニット２１１５の終端にはインピーダンス整合用の終端抵抗２１１６が接続されている。
この直列ユニット２１１０〜２１１５は宅内の各部屋等に設けられており、この直列ユニット２１１０〜２１１５にはテレビジョン受像機等に接続されるケーブルが接続される。
【先行技術文献】
【特許文献】
【０００４】
【特許文献１】特開平１１−４３５７号公報
【発明の概要】
【発明が解決しようとする課題】
【０００５】
従来の棟内共聴装置２１００において、ＣＡＴＶ信号の上り方向の伝送帯域は、例えば１０〜５５ＭＨｚとされ、下り方向の伝送帯域は７０〜７７０ＭＨｚとされている。また、ＢＳ／ＣＳ−ＩＦの伝送帯域は１０００ＭＨｚ〜３２２４ＭＨｚとされている。双方向増幅装置２１０５，２１０８は、上り信号、下り信号およびＢＳ／ＣＳ−ＩＦ信号をそれぞれ増幅する複数の増幅器を備えており、上記伝送帯域の各伝送信号の減衰を補償するため、上り信号、下り信号、ＢＳ／ＣＳ−ＩＦ信号をそれぞれ増幅する増幅器により増幅される。そして、上記伝送帯域の各伝送信号をそれぞれ増幅する複数の増幅器は棟内の壁面等に設置される筐体に収納されており、双方向増幅装置２１０５および双方向増幅装置２１０８は、それぞれ筐体を備えている。
【０００６】
従来の棟内共聴装置２１００では、双方向増幅装置２１０５，２１０８の内部の複数の増幅器は一体型の構造になっており、一部の増幅器に不具合が発生した場合でも双方向増幅装置である筐体を交換する必要があるため、すべての信号が停波されてしまう。これを解決するために、筐体内に収納された増幅器において伝送信号の帯域別に増幅器を区別し、区別した増幅器からなる複数の増幅ユニットに分割して、増幅器ユニット毎に交換可能とすることが考えられる。しかしながら、増幅ユニットに不具合が発生した場合は、当該増幅ユニットを交換する間は、当該増幅ユニットに割り当てられた伝送信号が停波してしまうという問題点があった。さらに、交換の際には交換前と増幅するレベルが同一になるよう、作業者による増幅ユニット内の全ての増幅器の設定を行う必要があることから、設定調整中も停波してしまうという問題点があった。
【０００７】
そこで、本発明は、無停波で増幅ユニットを交換することができると共に、作業者が再設定を行う必要のない増幅装置を提供することを目的としている。
【課題を解決するための手段】
【０００８】
本発明の実施例の増幅装置は、複数の周波数帯域の信号を、周波数帯域別にそれぞれ増幅する複数の増幅ユニットと、前記複数の増幅ユニットと前記復旧ユニットとの制御を行うことができる制御ユニットと、前記複数の増幅ユニットおよび前記制御ユニットに電源を供給可能な電源ユニットとを備え、交換対象とされる交換対象増幅ユニットを交換する際に、前記交換対象増幅ユニットと同等の機能を少なくとも備える復旧ユニットを取り付けて、前記制御ユニットは、前記交換対象増幅ユニットに設定されていたパラメータを前記復旧ユニットに設定して、前記交換対象増幅ユニットに替えて前記復旧ユニットを動作させることにより前記交換対象増幅ユニットを交換可能とし、前記交換対象増幅ユニットが交換された際に、前記制御ユニットは、交換された交換対象増幅ユニットに前記復旧ユニットに設定されていたパラメータを設定して、交換された交換対象増幅ユニットを動作させることにより、前記復旧ユニットを取り外し可能としたことを最も主要な特徴としている。
また、本発明の実施例の他の増幅装置は、棟内共聴装置の伝送線路に設けられた共聴信号を増幅する増幅装置であって、前記共聴信号を構成する複数の周波数帯域の信号を、周波数帯域別にそれぞれ増幅する複数の増幅ユニットと、前記複数の増幅ユニットと前記復旧ユニットとの制御を行うことができる制御ユニットと、前記複数の増幅ユニットおよび前記制御ユニットに電源を供給可能な電源ユニットとを備え、交換対象とされる交換対象増幅ユニットを交換する際に、前記交換対象増幅ユニットと同等の機能を少なくとも備える復旧ユニットを取り付けると、前記電源ユニットから前記復旧ユニットに電源が供給され、前記制御ユニットは、前記交換対象増幅ユニットに設定されていたパラメータを前記復旧ユニットに設定して、前記交換対象増幅ユニットに替えて前記復旧ユニットを動作させることにより前記交換対象増幅ユニットを交換可能とし、前記交換対象増幅ユニットが交換された際に、前記制御ユニットは、交換された交換対象増幅ユニットに前記復旧ユニットに設定されていたパラメータを設定して、交換された交換対象増幅ユニットを動作させることにより、前記復旧ユニットを取り外し可能としたことを最も主要な特徴としている。
【０００９】
本発明の実施例のさらに他の増幅装置は、放送信号を含む信号を、共聴信号として用いる棟内共聴装置における伝送線路に設けられた増幅装置であって、一面が開口面とされた箱状のケース本体部と、前記開口面を閉塞できると共に前記ケース本体部に開閉自在に取り付けられた蓋部とからなるケースと、該ケース内に収納されたメインボードと、前記共聴信号を構成する複数の周波数帯域の信号を、周波数帯域別にそれぞれ増幅する前記メインボードに着脱自在に装着された複数の増幅ユニットと、前記複数の増幅ユニットと接続されて、前記複数の増幅ユニットにおける設定されたパラメータを前記複数の増幅ユニットから取り込むと共に、前記複数の増幅ユニットにおける各増幅ユニットにパラメータを設定することができる制御ユニットと、前記複数の増幅ユニットおよび前記制御ユニットに電源を供給可能な電源ユニットとを備え、交換対象とされる交換対象増幅ユニットを交換する際に、前記交換対象増幅ユニットと同等の機能を有する復旧ユニットを前記ケース本体部から開いた前記蓋部の内側に着脱自在に取り付けると、前記電源ユニットから前記復旧ユニットに電源が供給され、前記交換対象増幅ユニットに設定されていたパラメータを前記制御ユニットにより前記復旧ユニットに設定して、前記交換対象増幅ユニットに替えて前記復旧ユニットを動作させることにより、前記交換対象増幅ユニットを前記メインボードから取り外すと共に新しい交換対象増幅ユニットをメインボードに装着して交換できるようにし、前記交換対象増幅ユニットが交換された際に、前記制御ユニットは、前記復旧ユニットに設定されていたパラメータを交換された交換対象増幅ユニットに設定して、前記復旧ユニットに替えて前記交換された交換対象増幅ユニットを動作させることで、前記復旧ユニットを前記蓋部から取り外せるようにしたことを最も主要な特徴としている。
【００１０】
上記した本発明のさらに他の増幅装置において、前記メインボードに設けられた第１復旧ユニット接続端子と前記復旧ユニットに設けられた第２復旧ユニット接続端子との間を接続することにより、前記復旧ユニットが前記制御ユニットに接続されるようにしている。
また、上記した本発明のさらに他の増幅装置において、前記制御ユニットに設けられている運用・復旧切換スイッチが復旧側に切り換えられることにより、前記交換対象増幅ユニットに設定されていたパラメータが前記制御ユニットにより前記復旧ユニットに設定され、さらに、前記交換対象増幅ユニットが切り離されると共に、前記復旧ユニットが動作状態とされて前記交換対象増幅ユニットが交換可能とされ、前記運用・復旧切換スイッチが運用側に切り換えられることにより、前記復旧ユニットに設定されていたパラメータが前記制御ユニットにより前記交換された交換対象増幅ユニットに設定され、さらに、前記復旧ユニットが切り離されると共に、前記交換された交換対象増幅ユニットが動作状態とされて前記復旧ユニットを取り外せるようにようにしている。
さらに、上記した本発明の棟内共聴装置のさらに他の増幅装置において、前記複数の増幅ユニットにおける各増幅ユニットの入力と出力とを切り換える電子制御可能な切換手段が、前記メインボードに設けられている。
さらにまた、上記した本発明の他の増幅装置において、前記運用・復旧切換スイッチが復旧側に切り換えられた際に、前記交換対象増幅ユニットが特定されて、前記制御ユニットにより前記交換対象増幅ユニットにおける前記切換手段が制御されて前記交換対象増幅ユニットの入力と出力とが前記復旧ユニットの入力と出力となるよう切り換えられることにより前記交換対象増幅ユニットが切り離され、前記運用・復旧切換スイッチが運用側に切り換えられた際に、前記交換された交換対象増幅ユニットが特定されて、前記制御ユニットにより前記交換対象増幅ユニットにおける前記切換手段が制御されて前記復旧ユニットの入力と出力とが前記交換された交換対象増幅ユニットの入力と出力となるよう切り換えられることにより前記復旧ユニットが切り離されるようにしている。
【００１１】
さらにまた、本発明のさらに他の増幅装置は、放送信号を含む信号を、共聴信号として用いる棟内共聴装置における伝送線路に設けられた増幅装置であって、一面が開口面とされた箱状のケース本体部と、前記開口面を閉塞できると共に前記ケース本体部に開閉自在に取り付けられた蓋部とからなるケースと、該ケース内に収納されたメインボードと、前記共聴信号を構成する複数の周波数帯域の信号を、周波数帯域別にそれぞれ増幅する前記メインボードに着脱自在に装着された複数の増幅ユニットと、前記複数の増幅ユニットと接続されて、前記複数の増幅ユニットにおける設定されたパラメータを前記複数の増幅ユニットから取り込むと共に、前記複数の増幅ユニットにおける各増幅ユニットにパラメータを設定することができる前記メインボードに着脱自在に装着された制御ユニットと、前記複数の増幅ユニットおよび前記制御ユニットに電源を供給する前記メインボードに着脱自在に装着された電源ユニットとを備え、前記複数の増幅ユニットのいずれかに異常が生じた際に、異常が生じた対象増幅ユニットを前記メインボードから取り外すと共に新しい対象増幅ユニットをメインボードに装着して交換することにより、交換された対象増幅ユニットが特定されて、前記制御ユニットに保存されていた前記対象増幅ユニットに設定されていたパラメータが前記制御ユニットから読み出されて、前記交換された対象増幅ユニットに設定されることを最も主要な特徴としている。
【００１２】
さらにまた、本発明のさらに他の増幅装置は、複数の周波数帯域の信号を、周波数帯域別にそれぞれ増幅する複数の増幅ユニットと、前記複数の増幅ユニットの制御を行うことができる制御ユニットと、前記複数の増幅ユニットおよび前記制御ユニットに電源を供給可能な電源ユニットとを備え、交換対象とされる少なくとも１台の交換対象増幅ユニットを交換する際に、前記複数の増幅ユニットと同等の機能を備える複数の復旧増幅ユニットを少なくとも備える復旧ユニットを取り付けて、前記制御ユニットは、前記複数の増幅ユニットに設定されていたパラメータを、前記複数の復旧増幅ユニットにそれぞれ設定すると共に、該パラメータを保存して、前記交換対象増幅ユニットを含む前記複数の増幅ユニットに替えて前記複数の復旧増幅ユニットを動作させることで、前記交換対象増幅ユニットを交換可能とし、前記交換対象増幅ユニットが交換された際に、前記制御ユニットは、前記保存されたパラメータを交換された交換対象増幅ユニットを含む前記複数の増幅ユニットにそれぞれ設定して、前記複数の復旧増幅ユニットに替えて前記交換された交換対象増幅ユニットを含む前記複数の増幅ユニットを動作させることで、前記復旧ユニットを取り外し可能としたことを最も主要な特徴としている。
さらにまた、本発明のさらに他の増幅装置は、棟内共聴装置の伝送線路に設けられた共聴信号を増幅する増幅装置であって、前記共聴信号を構成する複数の周波数帯域の信号を、周波数帯域別にそれぞれ増幅する複数の増幅ユニットと、前記複数の増幅ユニットの制御を行うことができる制御ユニットと、前記複数の増幅ユニットおよび前記制御ユニットに電源を供給可能な電源ユニットとを備え、交換対象とされる少なくとも１台の交換対象増幅ユニットを交換する際に、前記複数の増幅ユニットと同等の機能を備える複数の復旧増幅ユニットを少なくとも備える復旧ユニットを取り付けて、前記制御ユニットは、前記複数の増幅ユニットに設定されていたパラメータを、前記複数の復旧増幅ユニットにそれぞれ設定すると共に、該パラメータを保存して、前記交換対象増幅ユニットを含む前記複数の増幅ユニットに替えて前記複数の復旧増幅ユニットを動作させることで、前記交換対象増幅ユニットを交換可能とし、前記交換対象増幅ユニットが交換された際に、前記制御ユニットは、前記保存されたパラメータを交換された交換対象増幅ユニットを含む前記複数の増幅ユニットにそれぞれ設定して、前記複数の復旧増幅ユニットに替えて前記交換された交換対象増幅ユニットを含む前記複数の増幅ユニットを動作させることで、前記復旧ユニットを取り外し可能としたことを最も主要な特徴としている。
【００１３】
さらにまた、上記した本発明のさらに他の増幅装置は、放送信号を含む信号を、共聴信号として用いる棟内共聴装置における伝送線路に設けられた増幅装置であって、一面が開口面とされた箱状のケース本体部と、前記開口面を閉塞できると共に前記ケース本体部に開閉自在に取り付けられた蓋部とからなるケースと、該ケース内に収納されたメインボードと、前記共聴信号を構成する複数の周波数帯域の信号を、周波数帯域別にそれぞれ増幅する前記メインボードに着脱自在に装着された複数の増幅ユニットと、前記複数の増幅ユニットと接続されて、前記複数の増幅ユニットにおける設定されたパラメータを前記複数の増幅ユニットから取り込むと共に、前記複数の増幅ユニットにおける各増幅ユニットにパラメータを設定することができる制御ユニットと、前記複数の増幅ユニットおよび前記制御ユニットに電源を供給可能な電源ユニットとを備え、交換対象とされる少なくとも１台の交換対象増幅ユニットを交換する際に、前記複数の増幅ユニットと同等の機能を備える複数の復旧増幅ユニットを少なくとも備える前記復旧ユニットを前記ケース本体部から開いた前記蓋部の内側に着脱自在に取り付けて、前記制御ユニットは、前記複数の増幅ユニットに設定されていたパラメータを保存すると共に、該パラメータを前記複数の復旧増幅ユニットに設定して、交換対象とされる少なくとも１台の交換対象増幅ユニットを含む前記複数の増幅ユニットに替えて前記複数の復旧増幅ユニットを動作させることにより、前記交換対象増幅ユニットを前記メインボードから取り外すと共に新しい交換対象増幅ユニットをメインボードに装着して交換できるようにし、前記交換対象増幅ユニットが交換された際に、前記制御ユニットは、前記保存されたパラメータを交換された交換対象増幅ユニットを含む前記複数の増幅ユニットにそれぞれ設定して、前記復旧ユニットに替えて前記交換された交換対象増幅ユニットを含む前記複数の増幅ユニットを動作させることで、前記復旧ユニットを前記蓋部から取り外せるようにしたことを最も主要な特徴としている。
【００１４】
上記した本発明のさらに他の増幅装置において、前記復旧ユニットは、さらに、復旧制御ユニットを備えており、前記交換対象増幅ユニットを交換する際に、前記制御ユニットは、前記保存されたパラメータを前記復旧制御ユニットに書き込み、該復旧制御ユニットは、書き込まれたパラメータを前記複数の復旧増幅ユニットにそれぞれ設定し、交換対象増幅ユニットが交換された際に、前記制御ユニットは、前記保存されたパラメータを交換された交換対象増幅ユニットを含む前記複数の増幅ユニットにそれぞれ設定するようにしてもよい。
上記した本発明のさらに他の増幅装置において、前記メインボードに設けられた第１復旧ユニット接続端子と前記復旧ユニットに設けられた第２復旧ユニット接続端子との間を接続することにより、前記復旧ユニットが前記制御ユニットに接続されるようにしてもよい。
上記した本発明のさらに他の増幅装置において、前記制御ユニットに設けられている運用・復旧切換スイッチが復旧側に切り換えられることにより、前記保存されたパラメータが前記複数の復旧増幅ユニットに設定され、さらに、前記交換対象増幅ユニットを含む前記複数の増幅ユニットが切り離されると共に、前記複数の復旧増幅ユニットが動作状態とされて前記交換対象増幅ユニットが交換可能とされ、前記運用・復旧切換スイッチが運用側に切り換えられることにより、前記保存されたパラメータが前記交換された交換対象増幅ユニットを含む前記複数の増幅ユニットに設定され、さらに、前記復旧ユニットが切り離されると共に、前記交換された交換対象増幅ユニットを含む前記複数の増幅ユニットが動作状態とされて前記復旧ユニットを取り外せるようにしてもよい。
上記した本発明のさらに他の増幅装置において、前記複数の増幅ユニットにおける各増幅ユニットの入力と出力と、前記複数の復旧増幅ユニットの入力と出力とを、前記運用・復旧切換スイッチの操作に連動して切り換える電子制御可能な切換手段が、前記メインボードに設けられていてもよい。
【発明の効果】
【００１５】
本発明の増幅装置は、少なくとも１台の交換対象の増幅ユニットに設定されて保存されていたパラメータを復旧ユニットに設定して動作状態に切り換え、交換対象の増幅ユニットを交換して、復旧ユニットに設定されていたパラメータあるいは保存されていたパラメータを交換された交換対象の増幅ユニットに設定するようにしたので、停波させることなく交換対象の増幅ユニットを交換することができると共に、交換後において作業者が増幅ユニットの再設定を行う必要をなくすことができる。
【図面の簡単な説明】
【００１６】
【図１】本発明の実施例である増幅装置を備える棟内共聴装置の監視システムの構成を示す図である。
【図２】本発明の増幅装置とされる双方向増幅装置のハードウェア構成を示す正面図である。
【図３】本発明の増幅装置とされる双方向増幅装置のメインボードの構成を示す表面図および裏面図である。
【図４】本発明の増幅装置とされる双方向増幅装置において、制御ユニットと各増幅ユニットとの接続状態を示す機能ブロック図である。
【図５】本発明の増幅装置とされる双方向増幅装置の入力と出力を切り換える構成を示す機能ブロック図である。
【図６】本発明にかかる増幅装置において、増幅ユニットを交換する場合の手順を示すフローチャートである。
【図７】本発明にかかる増幅装置において、増幅ユニットを交換する場合の手順を示す他のフローチャートである。
【図８】本発明の増幅装置とされる双方向増幅装置の制御ユニットの構成を示す機能ブロック図である。
【図９】本発明の増幅装置を備える棟内共聴装置に用意されている復旧ユニットの構成を示す機能ブロック図である。
【図１０】本発明の増幅装置とされる双方向増幅装置の第１増幅ユニットの構成を示す機能ブロック図である。
【図１１】本発明の増幅装置を備える棟内共聴装置の監視システムにおける監視センターの構成を示す機能ブロック図である。
【図１２】本発明の増幅装置を備える棟内共聴装置の監視システムにおけるゲートウェイの構成を示す機能ブロック図である。
【図１３】本発明の増幅装置とされる双方向増幅装置の詳細構成を示す機能ブロック図である。
【図１４】本発明の増幅装置とされる双方向増幅装置においてマルチホップ通信を行うための構成を示す機能ブロック図である。
【図１５】本発明の増幅装置とされる双方向増幅装置の他の実施例の入力と出力を切り換える構成を示す機能ブロック図である。
【図１６】本発明の増幅装置とされる双方向増幅装置の他の実施例において、増幅ユニットを交換する場合の手順を示すさらに他のフローチャートである。
【図１７】従来の棟内共聴装置の監視システムの構成を示す図である。
【発明を実施するための形態】
【００１７】
＜実施例＞
本発明の実施例にかかる増幅装置を備える棟内共聴装置における監視システムの構成を図１に示す。図１においては、双方向増幅装置１７，１９，２２，２４が本発明にかかる増幅装置とされている。
本発明にかかる「棟内共聴装置」には、ビルや集合住宅，共同住宅などの建物に設置する共聴装置、および、戸建の建物に設置する共聴装置などの棟内に設置される共聴装置が含まれているものとする。
図１に示す本発明の実施例にかかる増幅装置を備える棟内共聴装置における監視システム０は、棟内に設置される棟内共聴装置１の監視を行うシステムとされている。本発明の実施例にかかる増幅装置を備える棟内共聴装置１は、屋上などに設置されたＢＳ・ＣＳアンテナ１０と混合器１２とゲートウェイ１３とを備え、混合器１５と双方向増幅装置１７と分岐・分配器１８と双方向増幅装置１９と分岐・分配器２０とが縦続接続された伝送線路と、双方向増幅装置２２と分岐・分配器２３とが縦続接続された第１系統と、双方向増幅装置２４と分岐・分配器２５とが縦続接続された第２系統とから構成されている。伝送線路で伝送される伝送信号は、伝送線路損失や分配や分岐されることで減衰され、この減衰を補償するために、双方向増幅装置１７，１９，２２，２４が設けられている。
棟内共聴装置１には、ＣＡＴＶ局１０１０から幹線に設置されている増幅装置や分岐・分配装置などの幹線機器１０１１を介してＣＡＴＶ信号の伝送ライン中に挿入されている分岐・分配装置などにより分岐されたＣＡＴＶ信号の下り信号（以下、「ＣＡＴＶ下り信号」という）がタップオフ（TAP OFF ）１０１２および保安器１０１３を介して棟内に引き込まれている。そして、保安器１０１３までのメンテナンスはＣＡＴＶ局１０１０が行うが、保安器１０１３以降のメンテナンスは加入者が行うこととされている。
【００１８】
棟内共聴装置１では、第２入力端子にゲートウェイ１３が接続されている混合器１２の第１入力端子にＢＳ・ＣＳアンテナ１０で受信され中間周波信号とされた衛星放送信号（以下、「ＢＳ・ＣＳ−ＩＦ信号」という）が入力され、混合器１２の出力端子は混合器１５の第２入力端子に接続されている。棟内共聴装置１に入力されたＣＡＴＶ下り信号は、混合器１５の第１入力端子に入力され、混合器１５の第１入力端子に入力されたＣＡＴＶ下り信号および第２入力端子に入力されたＢＳ・ＣＳ−ＩＦ信号が混合されて共聴信号とされて出力端子から出力される。
なお、図１に示す棟内共聴装置１においては、ＣＡＴＶ下り信号とＢＳ・ＣＳ−ＩＦ信号とが混合されて共聴信号とされているが、本発明においてはこれに限ることはなく、地上デジタル放送信号を受信するＵＨＦアンテナを棟内共聴装置１に設けて、ＵＨＦアンテナで受信された地上デジタル放送信号とＢＳ・ＣＳ−ＩＦ信号とを混合して共聴信号としてもよい。
【００１９】
混合器１５の出力端子から出力された共聴信号は双方向増幅装置１７に入力されて所定のレベルになるよう増幅される。双方向増幅装置１７の出力は分岐・分配器１８に供給され、分岐・分配器１８において複数に分岐・分配される。分岐・分配器１８を通過した共聴信号は、双方向増幅装置１９に入力されて所定のレベルになるよう増幅される。双方向増幅装置１９の出力は分岐・分配器２０に供給され、分岐・分配器２０において複数に分岐・分配される。分岐・分配器２０を通過した共聴信号は、さらに、分岐・分配器２１で第１系統と第２系統の共聴信号に分配される。第１系統に分配された共聴信号は、双方向増幅装置２２に入力されて所定のレベルになるよう増幅されて、双方向増幅装置２２の出力は分岐・分配器２３に供給されて複数に分岐・分配される。分岐・分配器２３で分岐・分配された共聴信号は宅内の各部屋等に設けられている直列ユニットにそれぞれ供給され、直列ユニットにはテレビジョン受像機等に接続されるケーブルが接続される。また、第２系統に分配された共聴信号は、双方向増幅装置２４に入力されて所定のレベルになるよう増幅されて、双方向増幅装置２４の出力は分岐・分配器２５に供給されて複数に分岐・分配される。分岐・分配器２５で分岐・分配された共聴信号は宅内の各部屋等に設けられている直列ユニットにそれぞれ供給され、直列ユニットにはテレビジョン受像機等に接続されるケーブルが接続される。
【００２０】
また、第１系統の直列ユニットから送出された上り信号は分岐・分配器２３を介して双方向増幅装置２２で所定のレベルになるよう増幅されて、分岐・分配器２１に供給される。さらに、第２系統の直列ユニットから送出された上り信号は分岐・分配器２５を介して双方向増幅装置２４で所定のレベルになるよう増幅されて、分岐・分配器２１に供給される。分岐・分配器２１から出力された上り信号は、分岐・分配器２０−双方向増幅装置１９−分岐・分配器１８−双方向増幅装置１７の経路で上っていき、混合器１５を介して保安器１０１３に入力される。保安器１０１３を通過した上り信号は、タップオフ１０１２、ＣＡＴＶの幹線および幹線機器１０１１を介してＣＡＴＶ局１０１０に上っていき受信される。
【００２１】
上記したように、共聴信号は、ＣＡＴＶ下り信号とＣＡＴＶ信号の上り信号（以下、「ＣＡＴＶ上り信号」という）およびＢＳ・ＣＳ−ＩＦ信号から構成され、双方向増幅装置１７，１９，２２，２４は後述するように、ＣＡＴＶ下り信号を増幅する増幅ユニットとＣＡＴＶ上り信号を増幅する増幅ユニットおよびＢＳ・ＣＳ−ＩＦ信号を増幅する増幅ユニットを有している。それぞれの増幅ユニットの供給電圧および供給電流や温度などの機器の状態情報と、入力レベル、出力レベル、Ｃ／Ｎなどの伝送信号の状態情報からなる動作データは周期的にモニタされている。モニタされたモニタ信号は、動作データにモニタされた増幅ユニット特有の一意の識別情報（以下、「ＩＤ」という）を付加して構成されており、モニタ信号は変調されて共聴信号では使用されていない周波数帯域の通信信号になって棟内共聴装置１内の幹線を上っていき、混合器１５と混合器１２を介してゲートウェイ１３に供給される。例えば、通信信号はＦＳＫ（frequency shift keying）信号とされている。ゲートウェイ１３は、棟内共聴装置１とインターネット１４との間でデータの送受を行える機能を有しており、通信信号をベースバンド信号であるモニタ信号に戻してＴＣＰ（Transmission Control Protocol ）やＨＴＴＰＳ（Hypertext Transfer Protocol Secure）によりモニタ信号をインターネット１４上のクラウド３に送出することができる。モニタ信号はクラウド３に保存される。ゲートウェイ１３は、例えば携帯電話網やＷｉ−Ｆｉなどの無線でインターネット１４に接続されるが有線でインターネット１４に接続してもよい。インターネット１４上には監視センター２が有線あるいは無線で接続されている。これにより、監視センター２はクラウド３にアクセスすることにより、クラウド３上のアプリケーションによりＩＤ別にグラフ化されたモニタ信号を表示器上で監視できる。ＩＤでは、双方向増幅装置１７，１９，２２，２４の各増幅ユニットを識別できると共に、増幅ユニット内の各増幅器の入力レベルを調整する入力レベル調整部と出力レベルを調整する出力レベル調整部をそれぞれ識別することができる。また、クラウド３上のアプリケーションによりモニタ信号が解析されて、モニタ信号に異常があった際には、異常情報を表示器上に表示して監視することができる。異常情報により、いずれかの増幅ユニットに不具合が生じる予兆が見られた場合は、当該増幅ユニットを有している棟内共聴装置１が設置されている建物に要員を派遣して事前に当該増幅ユニットを交換することができ、障害の発生を予防することができるようになる。これにより、監視センター２は、棟内共聴装置１における双方向増幅装置１７，１９，２２，２４の各増幅ユニットを周期的に監視することができる。さらに、ゲートウェイ１３はモニタ信号に加えて、双方向増幅装置１７，１９，２２，２４の各増幅ユニットに設定されているパラメータの情報もクラウド３に送っており、監視センター２はクラウド３に格納されたパラメータを変更することにより、インターネット１４およびゲートウェイ１３を介して変更されたパラメータを増幅ユニットに設定することができる。パラメータには上記ＩＤが付加されており、割り当てられた周波数帯域の信号を所定レベルで���力するように増幅ユニットに設定されるパラメータである。なお、ゲートウェイ１３は、所定時間ごとにモニタ信号をクラウド３に送出したり、モニタ信号が更新されるごとにモニタ信号をクラウド３に送出している。
【００２２】
本発明の実施例にかかる増幅装置を備える棟内共聴装置１では、増幅ユニットは無停波で交換することができる。以下、その説明を行う。
棟内共聴装置１における本発明にかかる増幅装置である双方向増幅装置１７，１９，２２，２４のハードウェア構成を説明するが、双方向増幅装置１９，２２，２４は双方向増幅装置１７と同じ構成とされているため、双方向増幅装置１７を代表として、そのハードウェア構成を示す正面図を図２に示す。
双方向増幅装置１７は金属製または合成樹脂製のケース５０を備えており、ケース５０はケース本体部５０ａと蓋部５０ｂとから構成されており、図２では蓋部５０ｂをケース本体部５０ａから開けた状態を示している。ケース本体部５０ａは、前面が開口された直方体状とされており、制御ユニット５１と第１増幅ユニット５２と第２増幅ユニット５３と第３増幅ユニット５４と、これらのユニットに電源を供給する電源ユニット５５がメインボード５７上に着脱自在に取り付けられて内部に収納されている。蓋部５０ｂは、このケース本体部５０ａの開口を閉塞しており、蝶番により開閉自在にケース本体部５０ａに取り付けられている。蓋部５０ｂの内側には復旧ユニット５６を取り付けることができる。また、例えば、第１増幅ユニット５２はＣＡＴＶ上り信号を増幅する増幅ユニットとされ、第２増幅ユニット５３はＣＡＴＶ下り信号を増幅する増幅ユニットとされ、第３増幅ユニット５４はＢＳ・ＣＳ−ＩＦ信号を増幅する増幅ユニットとされている。
【００２３】
ここで、メインボード５７の構成を説明する。図３（ａ）にメインボード５７の表面の構成を示し、図３（ｂ）にメインボード５７の裏面の構成を示す。
メインボード５７にはプリント配線が表面および裏面に施されているが省略して示している。メインボード５７の表面には図３（ａ）に示すように、上部の一側に復旧ユニット接続端子５１ａとされるメス型のコネクタと、電源端子５７ｂとされるメス型のコネクタとが設けられている。また、制御ユニット５１が取り付けられる部位にコネクタ５１ｃ、コネクタ５１ｄ、コネクタ５１ｅ、コネクタ５１ｆの４つのメス型のコネクタが設けられており、これらの４つのコネクタに制御ユニット５１の裏面に設けられている４つのオス型のコネクタを装着することにより、メインボード５７に制御ユニット５１が着脱自在に装着される。コネクタ５１ｃは、通信信号（ＩＤ＋モニタ信号、ＩＤ＋パラメータ信号）を入出力するＲＦ（高周波）端子を含んでおり、コネクタ５１ｄは第１増幅ユニット５２ないし第３増幅ユニット５４の各増幅器（後述するＡｍｐ１〜Ａｍｐ６）の入出力レベルをモニタするための入力信号および出力信号を分岐した分岐出力がそれぞれ伝送される例えば５本のＲＦラインに接続されたＲＦ端子を含んでおり、コネクタ５１ｅは第１増幅ユニット５２ないし第３増幅ユニット５４の状態をモニタする電圧、電流、温度などのセンサーからのアナログのセンサー信号がそれぞれ入力される端子を含んでおり、コネクタ５１ｆは通信バスに接続される端子を含んでいる。制御ユニット５１には、いずれかのコネクタを介して電源が供給される。
【００２４】
また、第１増幅ユニット５２が取り付けられる部位にコネクタ５２ａ、コネクタ５２ｂ、コネクタ５２ｃの３つのメス型のコネクタが設けられており、これらの３つのコネクタに第１増幅ユニット５２の裏面に設けられている３つのオス型のコネクタを装着することにより、メインボード５７に第１増幅ユニット５２が着脱自在に装着される。コネクタ５２ａは、第１増幅ユニット５２から出力されるＣＡＴＶ上り信号が供給されるＲＦ端子を含んでおり、コネクタ５２ｂは通信バスに接続される端子を含んでおり、コネクタ５２ｃは第１増幅ユニット５２に入力されるＣＡＴＶ上り信号が供給されるＲＦ端子を含んでいる。また、第１増幅ユニット５２からの分岐出力およびセンサー信号は、コネクタ５２ｂの端子に供給される。なお、第１増幅ユニット５２に設定されるあるいは設定されているパラメータは、コネクタ５２ｂにおける通信バスを通じて入出力することができる。第１増幅ユニット５２には、いずれかのコネクタを介して電源が供給される。
【００２５】
また、第２増幅ユニット５３が取り付けられる部位にコネクタ５３ａ、コネクタ５３ｂ、コネクタ５３ｃの３つのメス型のコネクタが設けられており、これらの３つのコネクタに第２増幅ユニット５３の裏面に設けられている３つのオス型のコネクタを装着することにより、メインボード５７に第２増幅ユニット５３が着脱自在に装着される。コネクタ５３ａは、第２増幅ユニット５３に入力されるＣＡＴＶ下り信号が供給されるＲＦ端子を含んでおり、コネクタ５３ｂは通信バスに接続される端子を含んでおり、コネクタ５３ｃは第２増幅ユニット５３から出力されるＣＡＴＶ下り信号が供給されるＲＦ端子を含んでいる。また、第２増幅ユニット５３からの分岐出力およびセンサー信号は、コネクタ５３ｂの端子に供給される。なお、第２増幅ユニット５３に設定されるあるいは設定されているパラメータは、コネクタ５３ｂにおける通信バスを通じて入出力することができる。第２増幅ユニット５３には、いずれかのコネクタを介して電源が供給される。
【００２６】
なお、第３増幅ユニット５４が取り付けられる部位にコネクタ５４ａ、コネクタ５４ｂ、コネクタ５４ｃの３つのメス型のコネクタが設けられており、これらの３つのコネクタに第３増幅ユニット５４の裏面に設けられている３つのオス型のコネクタを装着することにより、メインボード５７に第３増幅ユニット５４が着脱自在に装着される。コネクタ５４ａは、第３増幅ユニット５４に入力されるＢＳ・ＣＳ−ＩＦ信号が供給されるＲＦ端子を含んでおり、コネクタ５４ｂは通信バスに接続される端子を含んでおり、コネクタ５４ｃは第３増幅ユニット５４から出力されるＢＳ・ＣＳ−ＩＦ信号が供給されるＲＦ端子を含んでいる。また、第３増幅ユニット５４からの分岐出力およびセンサー信号は、コネクタ５４ｂの端子に供給される。なお、第３増幅ユニット５４に設定されるあるいは設定されているパラメータは、コネクタ５４ｂにおける通信バスを通じて入出力することができる。第３増幅ユニット５４には、いずれかのコネクタを介して電源が供給される。
さらに、電源ユニット５５が取り付けられる部位にコネクタ５５ａの１つのメス型のコネクタが設けられており、このコネクタに電源ユニット５５の裏面に設けられている１つのオス型のコネクタを装着することにより、メインボード５７に電源ユニット５５が着脱自在に装着される。コネクタ５５ａには電源ユニット５５から供給される複数の動作用電圧が供給され、制御ユニット５１ないし第３増幅ユニット５４の各ユニットを動作させるよう供給される。
【００２７】
メインボード５７の裏面には図３（ｂ）に示すように高周波リレーや電子スイッチから構成される後述するＳＷ１−１〜ＳＷ１−４およびＳＷ２−１〜ＳＷ２−４のスイッチが設けられている。制御ユニット５１が取り付けられる部位の裏面に設けられたＳＷ１−１とＳＷ２−１は、復旧ユニット５６の入力と出力とを切り換えるスイッチである。第１増幅ユニット５２が取り付けられる部位の裏面に設けられたＳＷ１−２とＳＷ２−２は、第１増幅ユニット５２の入力と出力とを切り換えるスイッチである。第２増幅ユニット５３が取り付けられる部位の裏面に設けられたＳＷ１−３とＳＷ２−３は、第２増幅ユニット５３の入力と出力とを切り換えるスイッチである。同様に、第３増幅ユニット５４が取り付けられる部位の裏面に設けられたＳＷ１−４とＳＷ２−４は、第３増幅ユニット５４の入力と出力とを切り換えるスイッチである。これらのスイッチについては後述する。
【００２８】
双方向増幅装置１７は、図２，図３に示すハードウェア構成により、制御ユニット５１と第１増幅ユニット５２ないし第３増幅ユニット５４とは図４に示すように通信バス１７−１により相互に接続される。
図４に示すように双方向増幅装置１７における制御ユニット５１は、マイクロコントローラー（ＭＣＵ）１００とインタフェース（ＩＦ）１０４ａと通信Ｉ／Ｆ１０５を少なくとも備えている。第１増幅ユニット５２はＭＣＵ１３０と増幅部５２−１とを少なくとも備えており、第２増幅ユニット５３もＭＣＵ１５０と増幅部５３−１とを少なくとも備えており、第３増幅ユニット５４もＭＣＵ１６０と増幅部５４−１とを少なくとも備えている。そして、ＭＣＵ１００，１３０，１５０，１６０のＩ／ＯはそれぞれＲＳ４８５のインタフェースをそなえており、相互に通信バス１７−１により接続されている。これにより、制御ユニット５１はシリアルの半二重通信で、第１増幅ユニット５２ないし第３増幅ユニット５４とパラメータを通信バス１７−１を通じて設定することができると共に、第１増幅ユニット５２ないし第３増幅ユニット５４に設定されているパラメータを通信バス１７−１を通じて取り込むことができる。
制御ユニット５１の通信Ｉ／Ｆ１０５は、制御ユニット５１に取り込んだ第１増幅ユニット５２ないし第３増幅ユニット５４に設定されていたＩＤ付きのパラメータと、前記したモニタ信号とを共聴信号では使用されていない周波数帯域（例えば、９２０ＭＨｚ）の通信信号に変調してゲートウェイ１３に送出している。また、Ｉ／Ｆ１０４ａはＵＡＲＴ（Universal Asynchronous Receiver/Transmitter）のインタフェースとされ、パーソナルコンピュータ（ＰＣ）と接続することができる。ＰＣを接続すると、ＰＣからＩ／Ｆ１０４ａを介して第１増幅ユニット５２ないし第３増幅ユニット５４の初期設定を行うことができる。
【００２９】
＜双方向増幅装置＞
次に、棟内共聴装置１における本発明にかかる増幅装置である双方向増幅装置１７，１９，２２，２４の各部の接続状態を説明するが、双方向増幅装置１９，２２，２４は双方向増幅装置１７と同じ構成とされているため、双方向増幅装置１７を代表としてその各部の接続状態を示す機能ブロック図を図５に示す。
図５に示すように、復旧ユニット５６の入力と出力とは、メインボード５７の裏面に設けられたスイッチＳＷ１−１で入力が、スイッチＳＷ２−１で出力が切り換えられ、第１増幅ユニット５２の入力と出力とは、メインボード５７の裏面に設けられたスイッチＳＷ２−２で入力が切り換えられ、スイッチＳＷ１−２で出力が切り換えられ、第２増幅ユニット５３の入力と出力とは、メインボード５７の裏面に設けられたスイッチＳＷ１−３で入力が切り換えられ、スイッチＳＷ２−３で出力が切り換えられ、第３増幅ユニット５４の入力と出力とは、メインボード５７の裏面に設けられたスイッチＳＷ１−４で入力が切り換えられ、スイッチＳＷ２−４で出力が切り換えられている。ＳＷ１−１〜ＳＷ１−４およびＳＷ２−１〜ＳＷ２−４は、リレーや電子スイッチからなり制御ユニット５１の切換スイッチ５１ｂを切り換えた際に自動的に切り換えられる。また、制御ユニット５１は、第１増幅ユニット５２ないし第３増幅ユニットおよび復旧ユニット５６に設定されているパラメータを読み出して保存すると共に、第１増幅ユニット５２ないし第３増幅ユニットおよび復旧ユニット５６に所定のパラメータを書き込んで設定することができる。
【００３０】
ＳＷ１−１〜ＳＷ１−４およびＳＷ２−１〜ＳＷ２−４の切換について説明すると、蓋部５０ｂに取り付けられた復旧ユニット５６が第１増幅ユニット５２に対応していると制御ユニット５１が判断した場合に切換スイッチ５１ｂを復旧側に切り換えると、ＳＷ１−１およびＳＷ２−１の可動接点１ａが固定接点１ｂに切り換えられ、同時に、ＳＷ１−２およびＳＷ２−２の可動接点２ａが固定接点２ｃに切り換えられるが、ＳＷ１−３、ＳＷ１−４およびＳＷ２−３，ＳＷ２−４は切り換えられない。これにより、ＳＷ２−２に入力されたＣＡＴＶ上り信号はＳＷ２−２の固定接点２ｃから出力されてＳＷ２−１の固定接点１ｂに入力されて復旧ユニット５６により所定レベルに増幅される。そして、復旧ユニット５６により所定レベルに増幅された上り信号はＳＷ１−１の固定接点１ｂから出力されてＳＷ１−２の固定接点２ｃに入力されてＳＷ１−２から出力される。すなわち、ＣＡＴＶ上り信号の入力と出力から第１増幅ユニット５２が切り離されて、上り信号の入力と出力は復旧ユニット５６に接続されるようになる。
この場合、ＳＷ１−３、ＳＷ２−３は切り換えられないことから、ＳＷ１−３に入力されたＣＡＴＶ下り信号は固定接点３ｂから出力されて第２増幅ユニット５３により所定レベルに増幅される。そして、ＳＷ２−３の固定接点３ｂに出力されてＳＷ２−３から出力される。同様に、ＳＷ１−４、ＳＷ２−４は切り換えられないことから、ＳＷ１−４に入力されたＢＳ・ＣＳ−ＩＦ信号は固定接点４ｂから出力されて第３増幅ユニット５４により所定レベルに増幅される。そして、ＳＷ２−４の固定接点４ｂに出力されてＳＷ２−４から出力される。
【００３１】
また、蓋部５０ｂに取り付けられた復旧ユニット５６が第２増幅ユニット５３に対応していると制御ユニット５１が判断した場合に切換スイッチ５１ｂを復旧側に切り換えると、ＳＷ１−１およびＳＷ２−１の可動接点１ａが固定接点１ｃに切り換えられ、同時に、ＳＷ１−３およびＳＷ２−３の可動接点３ａが固定接点３ｃに切り換えられるが、ＳＷ１−２、ＳＷ１−４およびＳＷ２−２，ＳＷ２−４は切り換えられない。これにより、ＳＷ１−３に入力されたＣＡＴＶ下り信号はＳＷ１−３の固定接点３ｃから出力されてＳＷ１−１の固定接点１ｃに入力されて復旧ユニット５６により所定レベルに増幅される。そして、復旧ユニット５６により所定レベルに増幅された下り信号はＳＷ２−１の固定接点１ｃから出力されてＳＷ２−３の固定接点３ｃに入力されてＳＷ２−３から出力される。すなわち、ＣＡＴＶ下り信号の入力と出力から第２増幅ユニット５３が切り離されて、下り信号の入力と出力は復旧ユニット５６に接続されるようになる。
この場合、ＳＷ１−２、ＳＷ２−２は切り換えられないことから、ＳＷ２−２に入力されたＣＡＴＶ上り信号は固定接点２ｂから出力されて第１増幅ユニット５２により所定レベルに増幅される。そして、ＳＷ１−２の固定接点２ｂに出力されてＳＷ１−２から出力される。同様に、ＳＷ１−４、ＳＷ２−４は切り換えられないことから、ＳＷ１−４に入力されたＢＳ・ＣＳ−ＩＦ信号は固定接点４ｂから出力されて第３増幅ユニット５４により所定レベルに増幅される。そして、ＳＷ２−４の固定接点４ｂに出力されてＳＷ２−４から出力される。
【００３２】
さらに、蓋部５０ｂに取り付けられた復旧ユニット５６が第３増幅ユニット５４に対応していると制御ユニット５１が判断した場合に切換スイッチ５１ｂを復旧側に切り換えると、ＳＷ１−１およびＳＷ２−１の可動接点１ａが固定接点１ｄに切り換えられ、同時に、ＳＷ１−４およびＳＷ２−４の可動接点４ａが固定接点４ｃに切り換えられるが、ＳＷ１−２、ＳＷ１−３およびＳＷ２−２，ＳＷ２−３は切り換えられない。これにより、ＳＷ１−４に入力されたＢＳ・ＣＳ−ＩＦ信号はＳＷ１−４の固定接点４ｃから出力されてＳＷ１−１の固定接点１ｄに入力されて復旧ユニット５６により所定レベルに増幅される。そして、復旧ユニット５６により所定レベルに増幅されたＢＳ・ＣＳ−ＩＦ信号はＳＷ２−１の固定接点１ｄから出力されてＳＷ２−４の固定接点４ｃに入力されてＳＷ２−４から出力される。すなわち、ＢＳ・ＣＳ−ＩＦ信号の入力と出力から第３増幅ユニット５４が切り離されて、ＢＳ・ＣＳ−ＩＦ信号の入力と出力は復旧ユニット５６に接続されるようになる。
この場合、ＳＷ１−２、ＳＷ２−２は切り換えられないことから、ＳＷ２−２に入力されたＣＡＴＶ上り信号は固定接点２ｂから出力されて第１増幅ユニット５２により所定レベルに増幅される。そして、ＳＷ１−２の固定接点２ｂに出力されてＳＷ１−２から出力される。同様に、ＳＷ１−３、ＳＷ２−３は切り換えられないことから、ＳＷ１−３に入力されたＣＡＴＶ下り信号は固定接点３ｂから出力されて第２増幅ユニット５３により所定レベルに増幅される。そして、ＳＷ２−３の固定接点３ｂに出力されてＳＷ２−３から出力される。
【００３３】
ここで、不具合が生じるおそれがある増幅ユニットを交換する場合の手順を図６に示すユニット交換処理（１）のフローチャートを参照して説明する。なお、運用状態においては、制御ユニット５１に設けられた切換スイッチ５１ｂは運用側へ切り換えられており、制御ユニット５１は第１増幅ユニット５２ないし第３増幅ユニット５４にそれぞれ設定されているパラメータを読み出して保存している。このパラメータには上記ＩＤが付加されており、第１増幅ユニット５２ないし第３増幅ユニット５４のそれぞれが所定レベルで割り当てられた信号を出力するようにパラメータが設定されている。ここでは、第３増幅ユニット５４に不具合が生じるおそれがある場合を例に挙げて説明する。
【００３４】
ユニット交換処理（１）が開始されると、図６に示すように、ステップＳ１０でケース本体部５０ａから蓋部５０ｂを開けて、用意された交換対象とされる第３増幅ユニット５４の機能を有する復旧ユニット５６を蓋部５０ｂの内面に取り付ける。そして、メインボード５７上の復旧ユニット接続端子５１ａと、復旧ユニット５６の復旧ユニット接続端子５６ａとをケーブルで接続する。復旧ユニット接続端子５１ａは制御ユニット５１に接続されており、復旧ユニット接続端子５１ａと復旧ユニット接続端子５６ａとは、例えばＲＳ４８５ポートの端子とされ、シリアルの半二重通信を行う。蓋部５０ｂの内面には、復旧ユニット５６を着脱自在に取り付けるフックなどの取付部が設けられている。次いで、ステップＳ１１にて制御ユニット５１の切換スイッチ５１ｂを運用側から復旧側へ切り換える。これにより、復旧ユニット５６はＲＳ−４８５の通信バスで制御ユニット５１に接続され、ステップＳ１２にて制御ユニット５１のＭＣＵ１００は復旧ユニット５６のＩＤから交換対象の増幅ユニットを特定する。ここで、制御ユニット５１が、交換対象となる増幅ユニットが第１増幅ユニット５２ないし第３増幅ユニット５４の内の第３増幅ユニット５４と特定した場合はＹＥＳとされてステップＳ１３に進む。また、何らかの理由で制御ユニット５１が交換対象の増幅ユニットを特定できなかった場合は、ＮＯと判断されてユニット交換処理（１）は終了する。この場合は、復旧ユニット接続端子５１ａと復旧ユニット５６の復旧ユニット接続端子５６ａとを接続しているケーブルを一度取り外して再度取り付けるようにして、ステップＳ１３に進めるようにする。
【００３５】
ステップＳ１３では、制御ユニット５１は第３増幅ユニット５４に設定されているパラメータを読み出す。次いで、ステップＳ１４にて読み出したパラメータを復旧ユニット５６に送って、復旧ユニット５６に当該パラメータを設定する。さらに、ステップＳ１５にてＳＷ１−１，ＳＷ１−４およびＳＷ２−１，ＳＷ２−４が制御ユニット５１により上述したように制御されて、交換対象の第３増幅ユニット５４に接続されていたＢＳ・ＣＳ−ＩＦ信号の入力と出力とが交換対象の第３増幅ユニット５４から復旧ユニット５６に接続されるよう自動的に切り換えられる。これにより、第３増幅ユニット５４に割り当てられていたＢＳ・ＣＳ−ＩＦ信号は、復旧ユニット５６に入力されて所定レベルになるよう増幅されて出力されるようになる。そして、交換対象の第３増幅ユニット５４から入力と出力とが切り離されることから、交換対象の第３増幅ユニット５４はメインボード５７から取り外すことができるようになる。ステップＳ１６では、入力と出力とが切り離された交換対象の第３増幅ユニット５４をメインボード５７上において交換したか否かが判断され、交換したと判断された場合はステップＳ１７へ進むが、交換されないと判断された場合は、交換されるまで待機される。
【００３６】
ステップＳ１７にて制御ユニット５１の切換スイッチ５１ｂを復旧側から運用側へ切り換える。これにより、制御ユニット５１のＭＣＵ１００は交換された交換対象の第３増幅ユニット５４のＩＤから交換された交換対象の増幅ユニットを特定する。ここで、制御ユニット５１が、交換された交換対象の増幅ユニットが第３増幅ユニット５４と特定した場合はＹＥＳとされてステップＳ１９に進む。また、何らかの理由で制御ユニット５１が交換された交換対象の増幅ユニットを特定できなかった場合は、ＮＯと判断されてユニット交換処理は終了する。この場合は、交換された交換対象の第３増幅ユニット５４をメインボード５７から取り外して再度メインボード５７に取り付けるようにして、ステップＳ１９に進めるようにする。ステップＳ１９では、制御ユニット５１は復旧ユニット５６に設定されているパラメータを読み出す。次いで、読み出したパラメータをステップＳ２０にて交換された交換対象の第３増幅ユニット５４に送って、交換された交換対象の第３増幅ユニット５４に当該パラメータを設定する。さらに、ステップＳ２１にてＳＷ１−１，ＳＷ１−４およびＳＷ２−１，ＳＷ２−４が制御ユニット５１により上述したように制御されて、復旧ユニット５６に接続されていたＢＳ・ＣＳ−ＩＦ信号の入力と出力とが復旧ユニット５６から交換された交換対象の第３増幅ユニット５４に接続されるよう自動的に切り換えられる。これにより、交換された交換対象の第３増幅ユニット５４にＢＳ・ＣＳ−ＩＦ信号が入力されて、所定レベルになるよう増幅されて出力されるようになる。そして、復旧ユニット５６から入力と出力とが切り離されることから、復旧ユニット５６はメインボード５７から取り外すことができるようになる。ステップＳ２２では、入力と出力とが切り離された復旧ユニット５６をメインボード５７から取り外したか否かが判断され、取り外したと判断された場合はユニット交換処理（１）は終了する。また、取り外されないと判断された場合は、取り外されるまで待機されてユニット交換処理は終了する。
【００３７】
以上説明したユニット交換処理（１）では、制御ユニット５１の切換スイッチ５１ｂを運用側から復旧側へ切り換えることにより、交換対象の増幅ユニットに替えて復旧ユニット５６にパラメータが設定されて正常な動作状態になる。同時に、ＳＷ１−１〜ＳＷ１−４およびＳＷ２−１〜ＳＷ２−４が制御ユニット５１により制御されて、交換対象の増幅ユニットの入力および出力が切り離される。そして、交換対象の増幅ユニットを交換して制御ユニット５１の切換スイッチ５１ｂを復旧側から運用側へ戻すことにより、復旧ユニット５６に替えて交換された交換対象の増幅ユニットにパラメータが設定されて正常な動作状態になる。同時に、ＳＷ１−１〜ＳＷ１−４およびＳＷ２−１〜ＳＷ２−４が制御ユニット５１により制御されて、復旧ユニット５６の入力および出力が切り離される。これにより、交換対象の増幅ユニットに割り当てられていたＣＡＴＶ上り信号、ＣＡＴＶ下り信号あるいはＢＳ・ＣＳ−ＩＦ信号を停波させることなく、交換対象の増幅ユニットを交換することができる。また、交換後において作業者が交換された交換対象の増幅ユニットの設定を行う必要をなくすことができる。
以上の説明では、交換対象の増幅ユニットを不具合が生じるおそれがある増幅ユニットとしたが、本発明にかかる増幅装置においてはこれに限ることはなく、交換対象の増幅ユニットを、メンテンナンスや耐用年数に該当する増幅ユニット、グレードアップする増幅ユニットとすることができる。
【００３８】
次に、異常が生じて正常な出力が得られなくなった増幅ユニットを交換する場合の手順を図７に示すユニット交換処理（２）のフローチャートを参照して説明する。ここでは、第３増幅ユニット５４に異常が生じてＢＳ・ＣＳ−ＩＦ信号が出力されない場合を例に挙げて説明する。なお、制御ユニット５１に設けられた切換スイッチ５１ｂは運用側へ切り換えられており、制御ユニット５１は第１増幅ユニット５２ないし第３増幅ユニット５４にそれぞれ設定されているパラメータを読み出して保存している。
ユニット交換処理（２）が開始されると、図７に示すように、ステップＳ３０でケース本体部５０ａから蓋部５０ｂを開けて、用意されたＢＳ・ＣＳ−ＩＦ信号が割り当てられている交換対象の第３増幅ユニット５４をメインボード５７上において交換する。交換対象の増幅ユニットは、ＢＳ・ＣＳ−ＩＦ信号が出力されないことからユニット交換処理（２）を始める前に第３増幅ユニット５４と特定することができる。そして、ステップＳ３１にて制御ユニット５１が、交換された交換対象の増幅ユニットが第３増幅ユニット５４と特定した場合はＹＥＳとされてステップＳ３２に進む。また、何らかの理由で制御ユニット５１が交換された交換対象の増幅ユニットを特定できなかった場合は、ＮＯと判断されてユニット交換処理（２）は終了する。この場合は、交換された交換対象の第３増幅ユニット５４をメインボード５７から取り外して再度メインボード５７に取り付けるようにして、ステップＳ３２に進めるようにする。
【００３９】
ステップＳ３２では、交換対象の第３増幅ユニット５４に設定されていて制御ユニット５１に保存されていたパラメータを読み出す。そして、ステップＳ３３にて特定された交換対象の増幅ユニットである交換された交換対象の第３増幅ユニット５４に読み出したパラメータを書き込んで、交換された交換対象の第３増幅ユニット５４にパラメータを設定する。これにより、交換された交換対象の第３増幅ユニット５４から所定レベルになるよう増幅されたＢＳ・ＣＳ−ＩＦ信号が出力されるようになり、ユニット交換処理（２）は終了する。
以上説明したユニット交換処理（２）では、制御ユニット５１の切換スイッチ５１ｂを切り換えることなく、交換対象の増幅ユニットを交換する。これにより、交換された交換対象の増幅ユニットにパラメータが設定されて正常な動作状態になる。この場合、異常が生じた交換対象の増幅ユニットに割り当てられていたＣＡＴＶ上り信号、ＣＡＴＶ下り信号あるいはＢＳ・ＣＳ−ＩＦ信号は、交換対象の増幅ユニットを交換するまで一時的に停波することになるが、交換対象の増幅ユニットを交換するだけで、調整や設定を作業者が行うことなく復旧させることができる。また、ユニット交換処理（２）では、制御ユニット５１の切換スイッチ５１ｂは操作しないので、交換対象の増幅ユニットの入力と出力とが切り換えられることはない。
【００４０】
また、電源ユニット５５に不具合が生じるおそれあるいは不具合が生じている場合や、メンテンナンスや耐用年数に該当していたり、グレードアップする場合の電源ユニット５５を交換する場合を説明する。まず、用意した電源ユニット５５の機能を有する図示しない復旧電源ユニットを蓋部５０ｂの内面に取り付け、メインボード５７上の電源端子５７ｂと、復旧電源ユニットの電源端子とを電源ケーブルで接続する。これにより、電源ユニット５５と復旧電源ユニットとが並列に運転するようになり、電源ユニット５５を取り外しても、復旧電源ユニットから双方向増幅装置１７の各ユニットに電源が供給されるようになる。そこで、電源ユニット５５を取り外して新しい電源ユニット５５をメインボード５７に装着する。これにより、復旧電源ユニットを取り外しても交換された電源ユニット５５から双方向増幅装置１７の各ユニットに電源が供給されるようになり、復旧電源ユニットを取り外すことができるようになる。そして、復旧電源ユニットを取り外した蓋部５０ｂを閉めてケース本体部５０ａの開口を閉塞することにより、電源ユニット５５の交換は終了するようになる。
【００４１】
＜制御ユニット＞
次に、棟内共聴装置１における本発明にかかる増幅装置である双方向増幅装置が備えている制御ユニット５１の構成を示す機能ブロック図を図８に示す。
図８に示す制御ユニット５１は、ＭＣＵ１００と通信Ｉ／Ｆ１０５と測定部１０６とアナログ−デジタル変換器（Ａ／Ｄ）１０７とを備え、通信Ｉ／Ｆ１０５と測定部１０６とＡ／Ｄ１０７とはＭＣＵ１００のバス１０８に接続されている。ＭＣＵ１００はマイクロコントローラーであり、ＭＣＵ１００は、ＣＰＵ（Central Processing Unit）１０１、ＲＯＭ（Read Only Memory）１０２、ＲＡＭ（Random Access Memory）１０３、Ｉ／Ｏ１０４を備え、これらをバス１０８で接続して構成されている。ＣＰＵ１０１は、ＲＯＭ１０２に記憶された制御処理プログラムを実行することにより、制御ユニット５１が上記した制御処理を行うようにＭＣＵ１００が動作する。この場合、制御ユニット５１に取り込まれた増幅ユニットに設定されたパラメータおよびモニタ信号はＲＡＭ１０３の領域に設定されテンポラリメモリに格納される。また、電源投入時には、ＣＰＵ１０１がＲＯＭ１０２に格納されている初期設定プログラムを実行して初期状態とする。通信Ｉ／Ｆ１０５は、各増幅ユニットからのモニタ信号から作成した監視情報を通信信号に変調してゲートウェイ１３に送り出している。また、ＭＣＵ１００のＩ／Ｏ１０４には運用と復旧を切り換える切換スイッチ５１ｂと復旧ユニット接続端子５１ａとが接続されていると共にＲＳ４８５ポートを介して通信バス１７−１に接続されている。また、復旧ユニット接続端子５１ａは復旧ユニット５６の復旧ユニット接続端子５６ａと接続される端子であり、例えばＲＳ４８５ポートの端子を含んでいる。
【００４２】
測定部１０６には５本のＲＦラインが接続されており、第１増幅ユニット５２の入力と出力を分岐した分岐出力と、第２増幅ユニット５３および第３増幅ユニット５４の入力を分岐した分岐出力と、双方向増幅装置の出力を分岐した分岐出力からなる分岐出力１〜５のＲＦ信号が各ＲＦラインから入力されている。測定部１０６では、ＣＰＵ１０１の制御の基で分岐出力１〜５のアナログのＲＦ信号を受信して、各分岐出力における各チャンネル毎のレベルを検出してデジタルのレベル信号としている。また、Ａ／Ｄ１０７は、第１増幅ユニット５２ないし第３増幅ユニット５４における電圧、電流、温度等の図示しないセンサーからのアナログのセンサー信号を、ＣＰＵ１０１の制御の基で取り込んでデジタル信号に変換している。測定部１０６のデジタルのレベル信号とデジタルのセンサー信号とは、ＣＰＵ１０１の制御の基でＭＣＵ１００においてＩＤ付きのモニタ信号とされて、テンポラリメモリ領域に格納される。そして、通信Ｉ／Ｆ１０５においてモニタ信号から作成された監視情報がパケット化されて通信信号が作成され、通信信号がゲートウェイ１３に送られるようになる。
【００４３】
＜復旧ユニット＞
次に、本発明の実施例にかかる増幅装置を備える棟内共聴装置１に用意されている復旧ユニット５６の構成を示す機能ブロック図を図９に示す。
図９に示す復旧ユニット５６は、ＭＣＵ１１０と複数のセンサー５６−２を備える増幅部５６−１とを備えている。ＭＣＵ１１０はマイクロコントローラーであり、ＭＣＵ１１０は、ＣＰＵ１１１、ＲＯＭ１１２、ＲＡＭ１１３、Ｉ／Ｏ１１４を備え、これらをバス１１７で接続して構成されている。ＣＰＵ１１１は、ＲＯＭ１１２に記憶された復旧処理プログラムを実行することにより、復旧ユニット５６が上記した復旧処理を行うようにＭＣＵ１１０が動作する。この場合、増幅部５６−１に設定されるパラメータはＲＡＭ１１３の領域に設定されたテンポラリメモリに格納される。また、電源投入時には、ＣＰＵ１１１がＲＯＭ１１２に格納されている初期設定プログラムを実行して復旧ユニット５６を初期化する。増幅部５６−１における入力と出力の分岐信号は復旧ユニット接続端子５６ａを介して制御ユニット５１に送られる。また、復旧ユニット５６における電圧、電流、温度等の複数のセンサー５６−２からのセンサー信号は復旧ユニット接続端子５６ａを介して制御ユニット５１に送られる。復旧ユニット接続端子５６ａは制御ユニット５１の復旧ユニット接続端子５１ａと接続される端子であり、例えばＲＳ４８５ポートの端子を含んでおり、復旧ユニット接続端子５１ａと接続されると、制御ユニット５１は、復旧ユニット５６の増幅部５６−１に入力されたＲＦ信号を所定レベルで出力するように設定するパラメータを送れると共に復旧ユニット５６に設定されているパラメータを取り込むことができる。復旧ユニット接続端子５６ａおよびＩ／Ｏ１１４を介して取り込まれたパラメータは、ＣＰＵ１１１の制御の基で増幅部５６−１の所定部に設定される。
【００４４】
＜増幅ユニット＞
次に、棟内共聴装置１における本発明にかかる増幅装置である双方向増幅装置の増幅ユニットの構成を示す機能ブロック図を示す。ここでは、第１増幅ユニット５２ないし第３増幅ユニット５４の機能ブロック図が同じ構成とされることから、代表として第１増幅ユニット５２の機能ブロック図を図１０に示している。
図１０に示す第１増幅ユニット５２は、ＭＣＵ１３０と複数のセンサー５２−２を備える増幅部５２−１とを備えている。ＭＣＵ１３０はマイクロコントローラーであり、ＭＣＵ１３０は、ＣＰＵ１３１、ＲＯＭ１３２、ＲＡＭ１３３、Ｉ／Ｏ１３４を備え、これらをバス１３７で接続して構成されている。ＣＰＵ１３１は、ＲＯＭ１３２に記憶された増幅処理プログラムを実行することにより、第１増幅ユニット５２が上記した増幅処理を行うようにＭＣＵ１３０が動作する。この場合、増幅部５２−１に設定されるパラメータはＲＡＭ１３３の領域に設定されたテンポラリメモリに格納される。また、電源投入時には、ＣＰＵ１３１がＲＯＭ１３２に格納されている初期設定プログラムを実行して第１増幅ユニット５２を初期化する。増幅部５２−１における入力と出力の分岐信号は第１増幅ユニット５２から制御ユニット５１に送られる。また、第１増幅ユニット５２における電圧、電流、温度等の複数のセンサー５２−２からのセンサー信号は制御ユニット５１に送られる。Ｉ／Ｏ１３４は、例えばＲＳ４８５インタフェースを備え通信バス１７−１に接続される。これにより、通信バス１７−１に接続されている制御ユニット５１は、第１増幅ユニット５２に入力されたＲＦ信号を所定レベルで出力するように設定するパラメータを送れると共に第１増幅ユニット５２に設定されているパラメータおよび第１増幅ユニット５２の動作データを取り込むことができる。通信バス１７−１およびＩ／Ｏ１３４を介して取り込まれたパラメータは、ＣＰＵ１３１の制御の基で増幅部５２−１の所定部に設定される。
【００４５】
＜監視センター＞
次に、本発明の実施例にかかる増幅装置を備える棟内共聴装置１の監視システム０における監視センター２の構成を示す機能ブロック図を図１１に示す。
図１１に示す監視センター２は、ＭＣＵ１４０と入力装置１４５と表示器１４６と広域通信Ｉ／Ｆ１４７とを備え、入力装置１４５はＩ／Ｏ１４４に接続され、表示器１４６と広域通信Ｉ／Ｆ１４７はＭＣＵ１４０のバス１４８に接続されている。広域通信Ｉ／Ｆ１４７は、インターネット１４などの公衆通信網に接続可能な通信インタフェースである。ＭＣＵ１４０はマイクロコントローラーであり、ＭＣＵ１４０は、ＣＰＵ１４１、ＲＯＭ１４２、ＲＡＭ１４３、Ｉ／Ｏ１４４を備え、これらをバス１４８で接続して構成されている。ＣＰＵ１４１は、ＲＯＭ１４２に記憶された監視プログラムを実行することにより、クラウド３にアクセスする。これにより、クラウド３上のアプリケーションにより双方向増幅装置１７，１９，２２，２４のそれぞれにおいてＩＤ別にグラフ化されたモニタ信号が表示器１７６に表示され、表示内容を視認することで双方向増幅装置１７，１９，２２，２４のそれぞれにおける第１増幅ユニット５２ないし第３増幅ユニット５４を監視できる。また、クラウド３上のアプリケーションによりモニタ信号が解析されて、モニタ信号に異常があった際には、ＣＰＵ１４１の制御の基で双方向増幅装置１７，１９，２２，２４のそれぞれにおいて異常情報を表示器１７６上に表示して監視することができる。異常情報により、双方向増幅装置１７，１９，２２，２４のそれぞれにおいて、いずれかの増幅ユニットに不具合が生じる予兆がＣＰＵ１４１の制御の基で見られた場合は、その旨を棟内共聴装置の管理者にメール送信したり、当該増幅ユニットを有している棟内共聴装置１が設置されている建物に要員を派遣して事前に当該増幅ユニットを交換することができ、障害の発生を予防することができるようになる。これにより、監視センター２は、棟内共聴装置１における双方向増幅装置１７，１９，２２，２４の第１増幅ユニット５２ないし第３増幅ユニット５４を周期的に監視することができる。
【００４６】
また、電源投入時には、ＣＰＵ１４１がＲＯＭ１４２に格納されている初期設定プログラムを実行して各部の初期設定が行われる。
監視センター２では、ＣＰＵ１４１の制御の基で表示器１４６に表示された双方向増幅装置１７，１９，２２，２４における第１増幅ユニット５２ないし第３増幅ユニット５４の動作状態を見ながら、Ｉ／Ｏ１４４に接続されたキーボード等の入力装置１４５を用いて、任意の増幅ユニットのパラメータを変更することができる。変更されたパラメータは、ＣＰＵ１４１の制御の基でインターネット１４およびゲートウェイ１３を介して棟内共聴装置１に送られる。棟内共聴装置１では、パラメータに付加されたパラメータが変更された増幅ユニットのＩＤに応じて該当する双方向増幅装置が受け取って、ＩＤに応じた増幅ユニットに変更されたパラメータが設定される。このように、監視センター２では、双方向増幅装置１７，１９，２２，２４における第１増幅ユニット５２ないし第３増幅ユニット５４に設定されているパラメータを遠隔制御で調整することができる。また、インターネット１４に接続可能な監視プログラムがインストールされているタブレットやスマートフォンでも、クラウド３にアクセスすることにより、双方向増幅装置１７，１９，２２，２４における第１増幅ユニット５２ないし第３増幅ユニット５４の監視を行えると共に、双方向増幅装置１７，１９，２２，２４における第１増幅ユニット５２ないし第３増幅ユニット５４に遠隔制御でパラメータを調整することができる。
【００４７】
＜ゲートウェイ＞
次に、本発明の増幅装置を備える棟内共聴装置におけるゲートウェイ１３の構成を示す機能ブロック図を図１２に示す。
図１２に示すゲートウェイ１３は、ＭＣＵ１７０と入力装置１７５と表示器１７６と広域通信Ｉ／Ｆ１７７と通信Ｉ／Ｆ１７８とを備え、入力装置１７５はＩ／Ｏ１７４に接続され、表示器１７６と広域通信Ｉ／Ｆ１７７と通信Ｉ／Ｆ１７８はＭＣＵ１７０のバス１７９に接続されている。広域通信Ｉ／Ｆ１７７は、インターネット１４などの公衆通信網に接続可能な通信インタフェースである。ＭＣＵ１７０はマイクロコントローラーであり、ＭＣＵ１７０は、ＣＰＵ１７１、ＲＯＭ１７２、ＲＡＭ１７３、Ｉ／Ｏ１７４を備え、これらをバス１７９で接続して構成されている。ＣＰＵ１７１は、ＲＯＭ１７２に記憶されたゲートウェイ処理プログラムを実行することにより、以下に説明するゲートウェイ処理を実行する。
ゲートウェイ１３では、通信信号で用いている通信規格 （プロトコル）と、インターネット１４上のクラウド３に接続するプロトコル（ＨＴＴＰＳあるいはＴＣＰ）との相互変換を行っている。双方向増幅装置１７，１９，２２，２４における制御ユニット５１からゲートウェイ１３に送られた通信信号は、ＣＰＵ１７１の制御の基でＩＤ付きのモニタ信号やＩＤ付きのパラメータに復調されてＲＡＭ１７３のテンポラリメモリ領域に格納される。ＣＰＵ１７１の制御の基で所定時間毎にＩＤ付きのモニタ信号およびＩＤ付きのパラメータがＲＡＭ１７３から読み出されて所定のプロトコルの書式に変更されてパケット化され、インターネット１４上のクラウド３に送出される。
【００４８】
また、ゲートウェイ１３はクラウド３に格納されているパラメータが変更されたかを尋ねるリクエストを送る。クラウド３は、格納されているパラメータが変更されている場合は、リクエストに応えて変更されたＩＤ付きのパラメータをゲートウェイ１３に送る。ゲートウェイ１３はＣＰＵ１７１の制御の基で変更されたＩＤ付きのパラメータをＲＡＭ１７３に格納して、ＩＤから識別した双方向増幅装置にパラメータを変更するコマンドと変更されたＩＤ付きのパラメータを送る。双方向増幅装置の制御ユニット５１では、ＣＰＵ１０１の制御の基で送られたＩＤ付きのパラメータから該当する増幅ユニットを識別して、当該増幅ユニットに変更されたパラメータを設定する。
【００４９】
＜双方向増幅装置の詳細＞
次に、本発明の増幅装置を備える棟内共聴装置における双方向増幅装置の詳細構成を示す機能ブロック図を図１３に示す。ここでは、双方向増幅装置１７と双方向増幅装置１９，２２，２４の構成が同じ構成とされることから、代表として双方向増幅装置１７の詳細構成を示す機能ブロック図を図１３に示している。
図１３に示すように双方向増幅装置１７は、制御ユニット５１と第１増幅ユニット５２と第２増幅ユニット５３と第３増幅ユニット５４とを備えている。制御ユニット５１ではＣＰＵ１０１が制御処理プログラムを実行することにより実現される設定部５１−１と、Ｉ／Ｏ１０４におけるＩ／Ｆ１０４ａと通信Ｉ／Ｆ１０５と測定部１０６とＡ／Ｄ１０７とが示されている。また、第１増幅ユニット５２の増幅部５２−１と第２増幅ユニット５３の増幅部５３−１と第３増幅ユニット５４の増幅部５４−１の構成だけが示され、他の構成は省略されている。
図１３に示す双方向増幅装置１７においては、図４に示すように制御ユニット５１と第１増幅ユニット５２ないし第３増幅ユニット５４とが通信バス１７−１により相互に接続されている。
【００５０】
端子２０１はＣＡＴＶ上り信号が出力されると共にＣＡＴＶ下り信号が入力される端子であり、端子２０２はＢＳ・ＣＳ−ＩＦ信号だけが入力、あるいは、ＣＡＴＶ下り信号およびＢＳ・ＣＳ−ＩＦ信号が入力されると共にＣＡＴＶ上り信号が出力される端子である。入力切換スイッチ２１０は、端子２０１にＣＡＴＶ下り信号が入力され、端子２０２にＢＳ・ＣＳ−ＩＦ信号が入力された時に、端子２０１側に切り換えて第１フィルタ（Ｆｉｌ１）にＣＡＴＶ下り信号を供給し、端子２０２にＣＡＴＶ下り信号およびＢＳ・ＣＳ−ＩＦ信号が入力された時に、端子２０２側に切り換えて第３フィルタ（Ｆｉｌ３）で分波されたＣＡＴＶ下り信号をＦｉｌ１に供給している。Ｆｉｌ１は、ＣＡＴＶ下り信号を分波して第２増幅ユニット５３の増幅部５３−１に供給し、第２分岐器（Ｓｐ２）から供給された所定レベルに調整されたＣＡＴＶ上り信号を分波して入力切換スイッチ２１０に供給する。入力切換スイッチ２１０では、端子２０１側に切り換えられている時は所定レベルに調整されたＣＡＴＶ上り信号を端子２０１から出力し、端子２０２側に切り換えられている時はＣＡＴＶ上り信号をＦｉｌ３に供給して、Ｆｉｌ３を通じて所定レベルに調整されているＣＡＴＶ上り信号が端子２０２から出力される。
【００５１】
端子２０３は、棟内共聴装置１における直列ユニットから送出されたＣＡＴＶ上り信号が入力されると共に、所定レベルに調整されたＣＡＴＶ下り信号およびＢＳ・ＣＳ−ＩＦ信号が出力される端子である。端子２０３に入力されたＣＡＴＶ上り信号は、第５分岐器（Ｓｐ５）を通過して第４フィルタ（Ｆｉｌ４）に供給されて分波され、第２フィルタ（Ｆｉｌ２）に供給される。Ｆｉｌ２は、ＣＡＴＶ上り信号を分波して第１増幅ユニット５２の増幅部５２−１に供給する。増幅部５２−１は、入力レベル調整部２１１と第１分岐器（Ｓｐ１）と第１増幅器（Ａｍｐ１）と出力レベル調整部２１２と第２増幅器（Ａｍｐ２）とＳｐ２とが縦続接続されて構成されている。そして、Ｓｐ１で分岐されたＡｍｐ１の入力信号を分岐した分岐出力１と、Ｓｐ２で分岐されたＡｍｐ２の出力信号を分岐した分岐出力２とは測定部１０６に送られて入力レベルと出力レベルが検出されて、第１増幅ユニット５２のＩＤが付加されて制御ユニット５１内に格納される。この入力レベルと出力レベルが所定の値となるように、入力レベル調整部２１１および出力レベル調整部２１２に、設定部５１−１からＩ／Ｆ１０４ａおよび通信バス１７−１を介してパラメータＡ，Ｂがそれぞれ設定される。パラメータＡ，Ｂは上記したように監視センター２において遠隔制御により調整することができる。また、制御ユニット５１のＩ／Ｆ１０４ａにＰＣを接続することにより、ＰＣからパラメータＡ，Ｂを調整することもできる。これにより、所定レベルに調整されたＣＡＴＶ上り信号がＳｐ２に供給されるようになる。
【００５２】
Ｆｉｌ１で分波されたＣＡＴＶ下り信号は、第２増幅ユニット５３の増幅部５３−１に供給される。増幅部５３−１は、入力レベル調整部２１３と第３分岐器（Ｓｐ３）と第３増幅器（Ａｍｐ３）と出力レベル調整部２１４と第４増幅器（Ａｍｐ４）とが縦続接続されて構成されている。そして、Ｓｐ３で分岐されたＡｍｐ３の入力信号を分岐した分岐出力３と、Ｓｐ５で分岐されたＦｉｌ４からの出力信号を分岐した分岐出力４とは測定部１０６に送られて各チャンネル毎の入力レベルと出力レベルが検出されて、第２増幅ユニット５３のＩＤが付加されて制御ユニット５１内に格納される。この各チャンネル毎の入力レベルと出力レベルが所定の値となるように、入力レベル調整部２１３および出力レベル調整部２１４に、設定部５１−１からＩ／Ｆ１０４ａおよび通信バス１７−１を介してパラメータＣ，Ｄがそれぞれ設定される。パラメータＣ，Ｄは上記したように監視センター２において遠隔制御により調整することができる。また、制御ユニット５１のＩ／Ｆ１０４ａにＰＣを接続することにより、ＰＣからパラメータＣ，Ｄを調整することもできる。これにより、所定レベルに調整されたＣＡＴＶ下り信号が端子２０３から出力されるようになる。
【００５３】
Ｆｉｌ３で分波されたＢＳ・ＣＳ−ＩＦ信号は、第３増幅ユニット５４の増幅部５４−１に供給される。増幅部５４−１は、入力レベル調整部２１５と第４分岐器（Ｓｐ４）と第５増幅器（Ａｍｐ５）と出力レベル調整部２１６と第６増幅器（Ａｍｐ６）とが縦続接続されて構成されている。そして、Ｓｐ４で分岐されたＡｍｐ５の入力信号を分岐した分岐出力５と、Ｓｐ５で分岐されたＦｉｌ４からの出力信号を分岐した分岐出力４とは測定部１０６に送られて各チャンネル毎の入力レベルと出力レベルが検出されて、第２増幅ユニット５３のＩＤが付加されて制御ユニット５１内に格納される。この各チャンネル毎の入力レベルと出力レベルが所定の値となるように、入力レベル調整部２１５および出力レベル調整部２１６に、設定部５１−１からＩ／Ｆ１０４ａおよび通信バス１７−１を介してパラメータＥ，Ｆがそれぞれ設定される。パラメータＥ，Ｆは上記したように監視センター２において遠隔制御により調整することができる。また、制御ユニット５１のＩ／Ｆ１０４ａにＰＣを接続することにより、ＰＣからパラメータＥ，Ｆを調整することもできる。これにより、所定レベルに調整されたＢＳ・ＣＳ−ＩＦ信号が端子２０３から出力されるようになる。
なお、入力レベル調整部２１１，２１３，２１５および出力レベル調整部２１２，２１４，２１６はアッテネータ、イコライザ、ゲインコントロール回路、チルト回路などのレベルや周波数特性を調整可能な回路を組み合わせて構成することができ、いずれの回路も電子制御により調整可能とされている。
【００５４】
測定部１０６には、第１増幅ユニット５２の入力と出力を分岐した分岐出力１，２と、第２増幅ユニット５３および第３増幅ユニット５４の入力を分岐した分岐出力３，５と、双方向増幅装置の出力を分岐した分岐出力４からなる分岐出力１〜５のＲＦ信号が入力される。そして、各分岐信号における各チャンネル毎のレベルを検出してデジタルのレベル信号としている。また、Ａ／Ｄ１０７は、第１増幅ユニット５２ないし第３増幅ユニット５４における電圧、電流、温度等の図示しないセンサーからのセンサー信号を取り込んでデジタル信号に変換している。測定部１０６から出力されるデジタルのレベル信号とＡ／Ｄ１０７から出力されるデジタルのセンサー信号とは、ＩＤ付きのモニタ信号とされる。そして、通信Ｉ／Ｆ１０５においてモニタ信号から作成された監視情報がパケット化されて通信信号が作成され、通信信号がゲートウェイ１３に送られるようになる。
【００５５】
ところで、通信信号は双方向増幅装置１７，１９，２２，２４のそれぞれから発信されてゲートウェイ１３まで上っていくが、その際に双方向増幅装置１７，１９を通過するようになる。しかしながら、双方向増幅装置１７，１９においては図１３に示すように共聴信号では使用されていない周波数帯域（例えば、９２０ＭＨｚ）の通信信号が通る経路がないことから減衰してしまうようになり、ゲートウェイ１３まで届かない恐れがある。そこで、本発明の実施例にかかる増幅装置を備える棟内共聴装置１においては、通信信号をマルチホップ通信により双方向増幅装置１７，１９において減衰しないようにしている。
双方向増幅装置１７，１９，２２，２４におけるマルチホップ通信を行うための構成を示す機能ブロック図を図１４に示す。図１４では、双方向増幅装置の構成を省略して示している。
図１４において、Ａは図１３に示す入力切換スイッチ２１０とＦｉｌ３との接続点であるＡ点に接続され、Ｂは同様にＦｉｌ３とＦｉｌ４との接続点であるＢ点に接続される。端子２０３に入力された通信信号は、Ｓｐ５およびＦｉｌ４を通過してＢ点に至り、通信信号抽出フィルタ２２０により通信信号のみが抽出されて制御ユニット５１の通信Ｉ／Ｆ１０５に供給される。通信Ｉ／Ｆ１０５では、供給された通信信号のレベルが調整されると共に、通信Ｉ／Ｆ１０５で作成された通信信号と共に通信Ｉ／Ｆ１０５から送出される。送出された通信信号は通信信号抽出フィルタ２２１を通過してＡ点に至る。そして、Ｆｉｌ３を通じて端子２０２から出力される。
このように、マルチホップ通信を行うことにより通信信号は減衰することなく双方向増幅器を通過してゲートウェイ１３まで上っていくようになる。
【００５６】
＜双方向増幅装置の他の実施例＞
次に、棟内共聴装置１における本発明にかかる増幅装置である双方向増幅装置１７，１９，２２，２４の他の実施例を説明する。双方向増幅装置１９，２２，２４の他の実施例は双方向増幅装置１７の他の実施例と同じ構成とされているため、双方向増幅装置１７の他の実施例を代表としてその各部の接続状態を示す機能ブロック図を図１５に示す。以下の説明においては、蓋部５０ｂの内側に復旧ユニット１０５６が取り付けられている。
双方向増幅装置１７，１９，２２，２４の他の実施例においては、図１５に示すように、復旧ユニット１０５６は、第１増幅ユニット５２と同じ機能を備える第１増幅ユニット１０５２と第２増幅ユニット５３と同じ機能を備える第２増幅ユニット１０５３と第３増幅ユニット５４と同じ機能を備える第３増幅ユニット１０５４との３台の増幅ユニットと制御ユニット１０５１とを備えている。また、スイッチＳＷ１−１〜ＳＷ１−４に替えてスイッチＳＷ１００１が、スイッチＳＷ２−１〜ＳＷ２−４に替えてスイッチＳＷ１００２がメインボード５７の裏面に設けられていると共に、制御ユニット１０５１には、復旧ユニット接続端子５６ａが設けられている。なお、第１増幅ユニット５２，第２増幅ユニット５３および第３増幅ユニット５４は、上記した構成とされている。
【００５７】
双方向増幅装置１７の本体の端子２０２は、前述したようにＢＳ・ＣＳ−ＩＦ信号だけが入力、あるいは、ＣＡＴＶ下り信号およびＢＳ・ＣＳ−ＩＦ信号が入力されると共に所定レベルに調整されたＣＡＴＶ上り信号が出力される端子であるが、ここでは、端子２０２にＣＡＴＶ下り信号およびＢＳ・ＣＳ−ＩＦ信号が入力されると共にＣＡＴＶ上り信号が出力されるとしている。また、端子２０３はＣＡＴＶ上り信号が入力されると共に、所定レベルに調整されたＣＡＴＶ下り信号およびＢＳ・ＣＳ−ＩＦ信号が出力される端子である。そして、復旧ユニット１０５６の端子１２０２は、ＣＡＴＶ下り信号およびＢＳ・ＣＳ−ＩＦ信号を入力できると共にＣＡＴＶ上り信号を出力できる端子であり、端子１２０３はＣＡＴＶ上り信号を入力できると共に、所定レベルに調整されたＣＡＴＶ下り信号およびＢＳ・ＣＳ−ＩＦ信号を出力できる端子である。
復旧ユニット１０５６の端子１２０２と双方向増幅装置１７の本体の端子２０２との入力／出力は、メインボード５７の裏面に設けられたスイッチＳＷ１００１の可動接点ａ１と固定接点ａ２，ａ３とで切り換えられる。また、復旧ユニット１０５６の端子１２０３と双方向増幅装置１７の本体の端子２０３との入力／出力は、メインボード５７の裏面に設けられたスイッチＳＷ１００２の可動接点ｄ１と固定接点ｄ２，ｄ３とで切り換えられる。ＳＷ１００１およびＳＷ１００２は、リレーや電子スイッチからなり制御ユニット５１の切換スイッチ５１ｂを切り換えた際に自動的に切り換えられる。また、制御ユニット５１は、第１増幅ユニット５２ないし第３増幅ユニット５４に設定されているパラメータを読み出して保存しており、制御ユニット１０５１は、復旧ユニット１０５６の第１増幅ユニット１０５２ないし第３増幅ユニット１０５４に所定のパラメータをそれぞれ書き込んで設定することができる。
【００５８】
第１増幅ユニット５２ないし第３増幅ユニット５４の内の１台あるいは複数台を交換する際に行われるＳＷ１００１およびＳＷ１００２の切換について説明すると、切換スイッチ５１ｂを復旧側に切り換えると、ＳＷ１００１の可動接点ａ１が固定接点ａ２から固定接点ａ３に切り換えられ、ＳＷ１００２の可動接点ｄ１が固定接点ｄ２から固定接点ｄ３に切り換えられる。これにより、ＳＷ１００２の可動接点ｄ１に入力されたＣＡＴＶ上り信号はＳＷ１００２の固定接点ｄ３から出力され、復旧ユニット１０５６の第１増幅ユニット１０５２に入力されて所定レベルに増幅される。そして、第１増幅ユニット１０５２により所定レベルに増幅された上り信号はＳＷ１００１の固定接点ａ３に入力されてＳＷ１００１の可動接点ａ１から出力される。すなわち、ＣＡＴＶ上り信号の入力と出力から第１増幅ユニット５２が切り離されて、ＣＡＴＶ上り信号の入力と出力は復旧ユニット５６の第１増幅ユニット１０５２に接続されるようになる。切り離された第１増幅ユニット５２は、メインボード５７から取り外して交換可能となる。
また、ＳＷ１００１の可動接点ａ１に入力されたＣＡＴＶ下り信号およびＢＳ・ＣＳ−ＩＦ信号はＳＷ１００１の固定接点ａ３から出力され、復旧ユニット１０５６内で分波されたＣＡＴＶ下り信号は第２増幅ユニット１０５３に入力されて所定レベルに増幅され、分波されたＢＳ・ＣＳ−ＩＦ信号は第３増幅ユニット１０５４に入力されて所定レベルに増幅される。そして、第２増幅ユニット１０５３により所定レベルに増幅されたＣＡＴＶ下り信号および第３増幅ユニット１０５４により所定レベルに増幅されたＢＳ・ＣＳ−ＩＦ信号は、ＳＷ１００２の固定接点ｄ３に入力されてＳＷ１００２の可動接点ｄ１から出力される。すなわち、ＣＡＴＶ下り信号およびＢＳ・ＣＳ−ＩＦ信号の入力と出力から第２増幅ユニット５３および第３増幅ユニット５４が切り離されて、ＣＡＴＶ下り信号およびＢＳ・ＣＳ−ＩＦ信号の入力と出力は復旧ユニット１０５６の第２増幅ユニット１０５３および第３増幅ユニット１０５４にそれぞれ接続されるようになる。切り離された第２増幅ユニット５３および第３増幅ユニット５４は、それぞれメインボード５７から取り外して交換可能となる。
【００５９】
ここで、双方向増幅装置１７の他の実施例において交換対象の増幅ユニットを復旧ユニット１０５６を利用して交換する場合の手順を、図１６に示すユニット交換処理（３）のフローチャートを参照して説明する。なお、運用状態においては、本体の制御ユニット５１に設けられた切換スイッチ５１ｂは運用側へ切り換えられており、制御ユニット５１は本体の第１増幅ユニット５２ないし第３増幅ユニット５４にそれぞれ設定されているパラメータを読み出して保存している。このパラメータには上記ＩＤが付加されており、第１増幅ユニット５２ないし第３増幅ユニット５４のそれぞれが所定レベルで割り当てられた信号を出力するようにパラメータが設定されている。ここでは、第３増幅ユニット５４を交換対象とした場合を例に挙げて説明する。なお、交換対象の増幅ユニットは、不具合が生じるおそれがある増幅ユニットや、メンテンナンスや耐用年数に該当する増幅ユニット、グレードアップする増幅ユニットとされる。また、交換対象の増幅ユニットは１台に限らず複数台の増幅ユニットとすることができる。
【００６０】
ケース本体部５０ａから蓋部５０ｂを開けて、復旧ユニット１０５６を蓋部５０ｂの内面に取り付け、メインボード５７上の復旧ユニット接続端子５１ａと、復旧ユニット接続端子１０５６ａとをケーブルで接続する。これにより、復旧ユニット１０５６の端子１２０２および端子１２０３がスイッチＳＷ１００１，ＳＷ１００２にそれぞれ接続されると共に、本体の制御ユニット５１と復旧ユニット１０５６の制御ユニット１０５１とが相互にデータの受け渡しを行えるように接続される。ここで、ユニット交換処理（３）が開始され、図１６に示すフローチャートのステップＳ４０にて、本体の制御ユニット５１は復旧ユニット接続端子５１ａおよび復旧ユニット接続端子１０５６ａを介して、正しい復旧ユニット１０５６が接続されたかを確認する。この場合、復旧ユニット接続端子５１ａと復旧ユニット接続端子１０５６ａとは、例えばＲＳ４８５ポートの端子とされ、シリアルの半二重通信を行う。また、蓋部５０ｂの内面には、復旧ユニット１０５６を着脱自在に取り付けるフックなどの取付部が設けられている。正しい復旧ユニット１０５６が接続されたことが確認されると、ステップＳ４１に進み、本体の制御ユニット５１は、ＭＣＵ１００は保存されている第１増幅ユニット５２ないし第３増幅ユニット５４に設定されているそれぞれのパラメータを、ＲＳ−４８５の通信バスで接続された復旧ユニット１０５６の制御ユニット１０５１に書き込む。復旧ユニット１０５６の制御ユニット１０５１は、書き込まれたパラメータを読み出して、復旧ユニット１０５６の第１増幅ユニット１０５２ないし第３増幅ユニット１０５４に対応する当該パラメータをそれぞれ書き込んで設定する。これにより、第１増幅ユニット１０５２ないし第３増幅ユニット１０５４は、本体の第１増幅ユニット５２ないし第３増幅ユニット５４と同様の所定の増幅動作が可能となる。ここで、ユーザは制御ユニット５１の切換スイッチ５１ｂを運用側から復旧側へ切り換える（ステップＳ４２）。
【００６１】
これにより、ステップＳ４３にてＳＷ１００１およびＳＷ１００２が本体の制御ユニット５１により復旧側へ自動的に切り換えられて、ＳＷ１００１の可動接点ａ１が固定接点ａ３を介して復旧ユニット１０５６の端子１２０２に接続され、ＳＷ１００２の可動接点ｄ１が固定接点ｄ３を介して復旧ユニット１０５６の端子１２０３に接続される。すなわち、ＣＡＴＶ上り信号、ＣＡＴＶ下り信号およびＢＳ・ＣＳ−ＩＦ信号の入力と出力とが双方向増幅装置１７側から復旧ユニット１０５６側に接続されるよう自動的に切り換えられる。これにより、ＣＡＴＶ上り信号、ＣＡＴＶ下り信号およびＢＳ・ＣＳ−ＩＦ信号は、復旧ユニット１０５６の第１増幅ユニット１０５２ないし第３増幅ユニット１０５４に入力されて所定レベルになるよう増幅されて出力されるようになる。そして、交換対象の第３増幅ユニット５４から入力と出力とが切り離されることから、交換対象の第３増幅ユニット５４をメインボード５７から取り外すことができるようになる。ステップＳ４４では、入力と出力とが切り離された交換対象の第３増幅ユニット５４をメインボード５７上において交換したか否かが判断され、交換したと判断された場合はステップＳ４５へ進むが、交換されないと判断された場合は、交換されるまで待機される。
【００６２】
ユーザが交換対象の第３増幅ユニット５４を交換して、ステップＳ４４においてＹＥＳと判断されるとステップＳ４５に進み、本体の制御ユニット５１のＭＣＵ１００は、保存されている第１増幅ユニット５２ないし第３増幅ユニット５４のそれぞれのパラメータを読み出して、本体の第１増幅ユニット５２ないし第３増幅ユニット５４に対応する当該パラメータをそれぞれ書き込んで設定する。これにより、第１増幅ユニット５２ないし第３増幅ユニット５４は、所定の増幅動作が可能となる。ここで、ユーザは本体の制御ユニット５１の切換スイッチ５１ｂを復旧側から運用側へ切り換える（ステップＳ４６）。これにより、ステップＳ４７にてＳＷ１００１およびＳＷ１００２が本体の制御ユニット５１により運用側へ切り換えられて、ＳＷ１００１の可動接点ａ１が固定接点ａ２を介して双方向増幅装置１７の端子２０２に接続され、ＳＷ１００２の可動接点ｄ１が固定接点ｄ２を介して双方向増幅装置１７の端子２０３に接続される。これにより、ＣＡＴＶ上り信号、ＣＡＴＶ下り信号およびＢＳ・ＣＳ−ＩＦ信号の入力と出力とが復旧ユニット１０５６側から双方向増幅装置１７側に接続されるよう自動的に切り換えられる。すなわち、ＣＡＴＶ上り信号、ＣＡＴＶ下り信号およびＢＳ・ＣＳ−ＩＦ信号は、双方向増幅装置１７内の第１増幅ユニット５２ないし第３増幅ユニット５４に入力されて所定レベルになるよう増幅されて出力されるようになる。そして、復旧ユニット１０５６から入力と出力とが切り離されることから、復旧ユニット１０５６の復旧ユニット接続端子１０５６ａと本体の復旧ユニット接続端子５１ａとの接続を解除することができるようになる。ステップＳ４８では、入力と出力とが切り離された復旧ユニット１０５６の復旧ユニット接続端子１０５６ａと本体の復旧ユニット接続端子５１ａとを接続しているケーブルを取り外したか否かが判断され、取り外したと判断された場合はユニット交換処理（３）は終了する。また、取り外されないと判断された場合は、取り外されるまで待機されてユニット交換処理は終了する。
【００６３】
以上説明したユニット交換処理（３）では、本体の制御ユニット５１の切換スイッチ５１ｂを運用側から復旧側へ切り換えることにより、交換対象の増幅ユニットを含む復旧ユニット１０５６の第１増幅ユニット１０５２ないし第３増幅ユニット１０５４にパラメータが設定されて正常な動作状態になる。同時に、ＳＷ１００１およびＳＷ１００２が本体の制御ユニット５１により制御されて、交換対象を含む双方向増幅装置１７側の第１増幅ユニット５２ないし第３増幅ユニット５４の入力および出力が切り離される。そして、交換対象の増幅ユニットを交換して制御ユニット５１の切換スイッチ５１ｂを復旧側から運用側へ戻すことにより、復旧ユニット１０５６に替えて交換された交換対象の増幅ユニットを含む第１増幅ユニット５２ないし第３増幅ユニット５４にパラメータが設定されて正常な動作状態になる。同時に、ＳＷ１００１およびＳＷ１００２が本体の制御ユニット５１により制御されて、復旧ユニット１０５６の全ての増幅ユニットの入力および出力が切り離される。これにより、交換対象の増幅ユニットに割り当てられていたＣＡＴＶ上り信号、ＣＡＴＶ下り信号あるいはＢＳ・ＣＳ−ＩＦ信号を停波させることなく、交換対象の増幅ユニットを交換することができる。また、交換後において作業者が交換された交換対象の増幅ユニットの設定を行う必要をなくすことができる。なお、双方向増幅装置の他の実施例においては、スイッチの数を２つに減らすことができると共に、スイッチの制御も簡略化することができるようになる。
【００６４】
なお、復旧ユニット１０５６に制御ユニット１０５１を設けることに替えて、制御ユニット１０５１の動作も本体の制御ユニット５１が行うようにしてもよい。また、復旧ユニット１０５６の構成は、増幅部５６−１が３台設けられると共に復旧ユニット接続端子５６ａに替えて復旧ユニット接続端子１０５６ａが設けられる構成を除いて図９に示す復旧ユニット５６の構成を同様とされているので、復旧ユニット１０５６の詳細な構成は省略する。
【産業上の利用可能性】
【００６５】
以上の説明において、ＣＡＴＶにはＭＡＴＶ（Master Antenna Television）が含まれており、本発明にかかる棟内共聴装置において、共聴信号はＣＡＴＶ信号と衛星放送信号とを混合した信号や、地上デジタル放送信号と衛星放送信号とを混合した信号、さらに、ＦＭ放送信号を混合した信号とすることができ、少なくとも放送信号を含む信号とされている。
本発明の実施例にかかる増幅装置を備える棟内共聴装置において、棟内共聴装置にはＣＡＴＶ下り信号やＢＳ・ＣＳ−ＩＦ信号がそれぞれ入力されると説明したが、ＣＡＴＶ下り信号とＢＳ・ＣＳ−ＩＦ信号とを混合した信号が入力されてもよい。また、ゲートウェイはクラウドに送ると説明したが、クラウドを省略して監視センターに監視情報やパラメータの情報を直接送るようにしてもよい。
本発明にかかる増幅装置を備える「棟内共聴装置」には、ビルや集合住宅，共同住宅などの建物に設置する共聴装置、および、戸建の建物に設置する共聴装置などの棟内に設置される共聴装置が含まれているが、双方向増幅装置や分岐・分配器の数は上記説明した数に限らず、棟内の規模や設備等に応じた任意の数とすることができる。
【符号の説明】
【００６６】
０  監視システム、１  棟内共聴装置、２  監視センター、３  クラウド、１０  ＢＳ・ＣＳアンテナ、１２  混合器、１３  ゲートウェイ、１４  インターネット、１５  混合器、１７，１９，２２，２４  双方向増幅装置、１７−１  通信バス、１８，２０，２１，２３，２５  分岐・分配器、５０  ケース、５０ａ  ケース本体部、５０ｂ  蓋部、５１  制御ユニット、５１−１  設定部、５１ａ  復旧ユニット接続端子、５１ｂ  切換スイッチ、５１ｃ  コネクタ、５１ｄ  コネクタ、５１ｅ  コネクタ、５１ｆ  コネクタ、５２−２  センサー、５２  増幅ユニット、５２−１  増幅部、５２ａ  コネクタ、５２ｂ  コネクタ、５２ｃ  コネクタ、５３  増幅ユニット、５３−２  増幅部、５３ａ  コネクタ、５３ｂ  コネクタ、５３ｃ  コネクタ、５４  増幅ユニット、５４−１  増幅部、５４ａ  コネクタ、５４ｂ  コネクタ、５４ｃ  コネクタ、５５  電源ユニット、５５ａ  コネクタ、５６  復旧ユニット、５６−１  増幅部、５６−２  センサー、５６ａ  復旧ユニット接続端子、５７  メインボード、５７ｂ  電源端子、１０１，１１１，１３１，１４１，１７１  ＣＰＵ、１０２，１１２，１３２，１４２，１７２  ＲＯＭ、１０３，１１３，１３３，１４３，１７３  ＲＡＭ、１０４，１１４，１３４，１４４，１７４  Ｉ／Ｏ、１０４ａ  Ｉ／Ｆ、１０５  通信Ｉ／Ｆ、１０６  測定部、１０７  Ａ／Ｄ、１０８，１１７，１３７，１４８，１７９  バス、１１０，１３０，１４０，１５０，１６０，１７０  ＭＣＵ、１４５  入力装置、１４６  表示器、１４７  広域通信Ｉ／Ｆ、１７５  入力装置、１７６  表示器、２０１  端子、２０２  端子、２０３  端子、２１０  入力切換スイッチ、２１１，２１３，２１５  入力レベル調整部、２１２，２１４，２１６  出力レベル調整部、２２０，２２１  通信信号抽出フィルタ、１０５１  制御ユニット、１０５２  第１増幅ユニット、１０５３  第２増幅ユニット、１０１０  ＣＡＴＶ局、１０１１  幹線機器、１０１２  タップオフ、１０１３  保安器、１０５４  第３増幅ユニット、１０５６  復旧ユニット、１０５６ａ  復旧ユニット接続端子、１２０２  端子、１２０３  端子、２１００  棟内共聴装置、２１０１  双方向分岐増幅装置、２１０３  ＢＳ／ＣＳアンテナ、２１０５，２１０８  双方向増幅装置、２１０６  分岐器、２１０７，２１０９  分配器、２１１０〜２１１５  直列ユニット、２１１６  終端抵抗
【図１】
2020025266.tif 000003
【図２】
2020025266.tif 000004
【図３】
2020025266.tif 000005
【図４】
2020025266.tif 000006
【図５】
2020025266.tif 000007
【図６】
2020025266.tif 000008
【図７】
2020025266.tif 000009
【図８】
2020025266.tif 000010
【図９】
2020025266.tif 000011
【図１０】
2020025266.tif 000012
【図１１】
2020025266.tif 000013
【図１２】
2020025266.tif 000014
【図１３】
2020025266.tif 000015
【図１４】
2020025266.tif 000016
【図１５】
2020025266.tif 000017
【図１６】
2020025266.tif 000018
【図１７】
2020025266.tif 000019